(57)【要約】本開示は、電子機器及び無線通信方法に関する。本開示に係る電子機器は、前記電子機器のサービス範囲内の中継デバイスを介して、前記電子機器と通信するリモートデバイスに対して、半静的スケジューリングＳＰＳ配置を実行するように配置されている処理回路と、前記中継デバイスヘ前記リモートデバイスのＳＰＳ配置情報を送信するように配置されている送受信回路と、を含む。本開示に係る電子機器及び無線通信方法を使用すれば、ＳＰＳ技術をデバイス間の通信に適用することで、異なるビジネスと流量タイプのサービス品質要件を満たすことができる。【選択図】図２
2020515086.tif 000002
【特許請求の範囲】
【請求項１】
電子機器であって、
前記電子機器のサービス範囲内の中継デバイスを介して前記電子機器と通信するリモートデバイスに対して、半静的スケジューリングＳＰＳ配置を実行するように配置されている処理回路と、
前記中継デバイスヘ前記リモートデバイスのＳＰＳ配置情報を送信するように配置されている送受信回路と、を含む電子機器。
【請求項２】
前記送受信回路は、上位レイヤシグナリングによって前記中継デバイスヘ前記リモートデバイスのＳＰＳ配置情報を送信するように配置されている請求項１に記載の電子機器。
【請求項３】
前記処理回路は、さらに、前記ＳＰＳ配置情報に対応するリモートデバイスの識別情報を生成し、前記リモートデバイスの識別情報を前記リモートデバイスのＳＰＳ配置情報に含める、ように配置されている請求項１に記載の電子機器。
【請求項４】
前記処理回路は、さらに、前記リモートデバイスのＳＰＳ配置情報の宛先端末が前記中継デバイスであるかどうかを指示するための指示情報を生成するように配置されていて、前記送受信回路は、さらに、前記中継デバイスヘ前記指示情報を送信するように配置されている請求項１に記載の電子機器。
【請求項５】
前記処理回路は、さらに、前記中継デバイスに前記リモートデバイスのＳＰＳ配置情報を転送し保存するように指示するための指示情報を生成する、ように配置されている請求項１に記載の電子機器。
【請求項６】
前記処理回路は、さらに、前記リモートデバイスのＳＰＳ配置をアクティブ化するためのアクティブ化情報を生成するように配置されていて、前記送受信回路は、さらに、前記中継デバイスヘ前記アクティブ化情報を送信するように配置されている請求項３に記載の電子機器。
【請求項７】
前記送受信回路は、下位レイヤシグナリングによって前記中継デバイスヘ前記アクティブ化情報を送信するように配置されている請求項６に記載の電子機器。
【請求項８】
前記処理回路は、前記リモートデバイスの識別情報を利用して、前記アクティブ化情報を生成するように、下り制御情報ＤＣＩをスクランブルする請求項７に記載の電子機器。
【請求項９】
前記処理回路は、さらに、前記アクティブ化情報の宛先リモートデバイスを確認するための確認情報を生成するように配置されていて、前記送受信回路は、さらに、前記中継デバイスヘ前記確認情報を送信するように配置されている請求項８に記載の電子機器。
【請求項１０】
電子機器であって、
前記電子機器にサービスを提供するネットワーク側デバイスから、前記電子機器を介して前記ネットワーク側デバイスと通信するリモートデバイスの半静的スケジューリングＳＰＳ配置情報を受信するように配置されている送受信回路と、
前記ＳＰＳ配置情報を保存することと、前記リモートデバイスヘ前記ＳＰＳ配置情報を送信するように前記送受信回路を制御することとのうち少なくとも一つを実行するように配置されている処理回路と、を含む電子機器。
【請求項１１】
前記送受信回路は、上位レイヤシグナリングによって前記リモートデバイスのＳＰＳ配置情報を受信するように配置されている請求項１０に記載の電子機器。
【請求項１２】
前記ＳＰＳ配置情報は、前記ＳＰＳ配置情報に対応するリモートデバイスの識別情報を含む請求項１０に記載の電子機器。
【請求項１３】
前記送受信回路は、さらに、前記ネットワーク側デバイスから、前記ＳＰＳ配置情報の宛先端末が前記電子機器であるかどうかを指示するための指示情報を受信するように配置されている請求項１０に記載の電子機器。
【請求項１４】
前記処理回路は、さらに、前記指示情報は前記ＳＰＳ配置情報の宛先端末が前記電子機器であるように指示する場合に、前記ＳＰＳ配置情報を保存するように配置されている請求項１３に記載の電子機器。
【請求項１５】
前記処理回路は、さらに、前記指示情報は前記ＳＰＳ配置情報の宛先端末が前記電子機器ではないように指示する場合に、前記リモートデバイスヘ前記ＳＰＳ配置情報を送信するように前記送受信回路を制御するように配置されている請求項１４に記載の電子機器。
【請求項１６】
前記送受信回路は、さらに、前記ネットワーク側デバイスから、前記電子機器に前記リモートデバイスのＳＰＳ配置情報を保存し転送するように指示するための指示情報を受信するように配置されている請求項１０に記載の電子機器。
【請求項１７】
前記処理回路は、さらに、前記ＳＰＳ配置情報を保存し、前記リモートデバイスヘ前記ＳＰＳ配置情報を送信するように前記送受信回路を制御するように配置されている請求項１６に記載の電子機器。
【請求項１８】
前記送受信回路は、さらに、前記ネットワーク側デバイスから、前記リモートデバイスのＳＰＳ配置をアクティブ化するための第１アクティブ化情報を受信するように配置されている請求項１２に記載の電子機器。
【請求項１９】
前記送受信回路は、下位レイヤシグナリングによって前記第１アクティブ化情報を受信するように配置されている請求項１８に記載の電子機器。
【請求項２０】
前記処理回路は、さらに、前記リモートデバイスの識別情報を利用して、前記第１アクティブ化情報をデスクランブルするように配置されている請求項１８に記載の電子機器。
【請求項２１】
前記処理回路は、さらに、前記リモートデバイスのＳＰＳ配置をアクティブ化するための第２アクティブ化情報を生成するように配置されていて、前記送受信回路は、さらに、前記リモートデバイスヘ前記第２アクティブ化情報を送信するように配置されている請求項２０に記載の電子機器。
【請求項２２】
前記送受信回路は、下位レイヤシグナリングによって前記リモートデバイスヘ前記第２アクティブ化情報を送信するように配置されている請求項２１に記載の電子機器。
【請求項２３】
前記処理回路は、前記リモートデバイスの識別情報を利用して、前記第２アクティブ化情報を生成するように、サイドリンク制御情報ＳＣＩをスクランブルする請求項２２に記載の電子機器。
【請求項２４】
前記処理回路は、さらに、前記第２アクティブ化情報の宛先リモートデバイスを確認するための確認情報を生成するように配置されていて、前記送受信回路は、さらに、前記リモートデバイスヘ前記確認情報を送信するように配置されている請求項２２に記載の電子機器。
【請求項２５】
電子機器であって、
中継デバイスから、前記中継デバイスを介して前記中継デバイスにサービスを提供するネットワーク側デバイスと通信する前記電子機器の半静的スケジューリングＳＰＳ配置情報を受信するように配置されている送受信回路と、
前記ＳＰＳ配置情報を保存するように配置されている処理回路と、を含む電子機器。
【請求項２６】
前記送受信回路は、上位レイヤシグナリングによって前記ＳＰＳ配置情報を受信するように配置されている請求項２５に記載の電子機器。
【請求項２７】
前記ＳＰＳ配置情報は、前記電子機器の識別情報を含む請求項２５に記載の電子機器。
【請求項２８】
前記送受信回路は、さらに、前記中継デバイスから、前記電子機器のＳＰＳ配置をアクティブ化するためのアクティブ化情報を受信するように配置されている請求項２７に記載の電子機器。
【請求項２９】
前記処理回路は、さらに、前記電子機器の識別情報を利用して前記アクティブ化情報を正しくデスクランブルする場合に、前記ＳＰＳ配置をアクティブ化するように配置されている請求項２８に記載の電子機器。
【請求項３０】
前記送受信回路は、さらに、前記中継デバイス又は前記ネットワーク側デバイスからの確認情報を受信するように配置されていて、前記処理回路は、さらに、前記確認情報は前記アクティブ化情報の宛先デバイスが前記電子機器であることを示す場合に、前記ＳＰＳ配置をアクティブ化するように配置されている請求項２８に記載の電子機器。
【請求項３１】
ネットワーク側デバイスにより実行される無線通信方法であって、
前記ネットワーク側デバイスのサービス範囲内の中継デバイスを介して前記ネットワーク側デバイスと通信するリモートデバイスに対して半静的スケジューリングＳＰＳ配置を実行することと、
前記中継デバイスヘ前記リモートデバイスのＳＰＳ配置情報を送信することと、を含む方法。
【請求項３２】
中継デバイスにより実行される無線通信方法であって、
前記中継デバイスにサービスを提供するネットワーク側デバイスから、前記中継デバイスを介して前記ネットワーク側デバイスと通信するリモートデバイスの半静的スケジューリングＳＰＳ配置情報を受信することと、
前記ＳＰＳ配置情報を保存することと、前記リモートデバイスヘ前記ＳＰＳ配置情報を送信することとのうち少なくとも一つを実行することと、を含む方法。
【請求項３３】
リモートデバイスにより実行される無線通信方法であって、
中継デバイスから、前記中継デバイスを介して前記中継デバイスにサービスを提供するネットワーク側デバイスと通信する前記リモートデバイスの半静的スケジューリングＳＰＳ配置情報を受信することと、
前記ＳＰＳ配置情報を保存することと、を含む方法。
【発明の詳細な説明】
【技術分野】
【０００１】
本願は、２０１７年３月２４日に中国専利局に提出した、出願番号が２０１７１０１８４５６３．４であって、発明の名称が「電子機器及び無線通信方法」である中国特許出願の優先権を主張し、本願で、その全ての内容を援用するものとする。本開示の実施例は、全体無線通信分野に関し、具体的に、電子機器及び無線通信方法に関する。より具体的に、本開示は、ネットワーク側デバイスである電子機器、中継デバイスである電子機器、リモートデバイスである電子機器、ネットワーク側デバイスにより実行される無線通信方法、中継デバイスにより実行される無線通信方法及びリモートデバイスにより実行される無線通信方法に関する。
【背景技術】
【０００２】
ＦｅＤ２Ｄ（Ｆｕｒｔｈｅｒ  ｅｎｈａｎｃｅｄ  Ｄｅｖｉｃｅ  ｔｏ  Ｄｅｖｉｃｅ）通信システムにおいて、リモートユーザー（ｒｅｍｏｔｅ  ＵＥ）は、中継ユーザー（ｒｅｌａｙ  ＵＥ）を介してネットワーク側デバイス（例えば、基地局、ｅＮＢ（Ｅｖｏｌｖｅｄ  Ｎｏｄｅ  Ｂ）を含むが、これらに限定されない）と通信してもよい。具体的に、リモートユーザーと中継ユーザーは、サイドリンク（ｓｉｄｅｌｉｎｋ）、又は、Ｂｌｕｅｔｏｏｔｈ、Ｗｉｆｉ（Ｗｉｒｅｌｅｓｓ  Ｆｉｄｅｌｉｔｙ）などの非３ＧＰＰ（３ｒｄ  Ｇｅｎｅｒａｔｉｏｎ  Ｐａｒｔｎｅｒｓｈｉｐ  Ｐｒｏｊｅｃｔ）リンクを介して通信して、中継ユーザーとネットワーク側デバイスは、従来のセルラーリンクを介して通信する。
【０００３】
上記ネットワークアーキテクチャでは、リモートユーザーが、例えば、ＶｏＩＰ（Ｖｏｉｃｅ  ｏｖｅｒ  Ｉｎｔｅｒｎｅｔ  Ｐｒｏｔｏｃｏｌ）、ストリーミングサービス（Ｓｔｒｅａｍｉｎｇ  Ｓｅｒｖｉｃｅｓ）などのサービスを実行する必要がある場合、リモートユーザーは、各サービスの前にネットワーク側デバイスに時間  −  周波数リソースを要求する必要があるので、大きな遅延と低い信頼性を引き起こす。
【０００４】
上記技術問題は、同様に、Ｄ２Ｄ（Ｄｅｖｉｃｅ  ｔｏ  Ｄｅｖｉｃｅ）通信システム、Ｖ２Ｘ（ｖｅｈｉｃｌｅ  ｔｏ  Ｘ）通信システムのような機器間の通信を含む他の通信システム、及び中継を含む通信システムなどに存在する。
【０００５】
これにより、機器間の通信の信頼性が向上し、遅延が減少することで、異なるビジネス及び流量タイプのＱｏＳ（Ｑｕａｌｉｔｙ  ｏｆ  Ｓｅｒｖｉｃｅ）要求を満たすように、技術案を提出する必要がある。
【発明の概要】
【発明が解決しようとする課題】
【０００６】
この部分には、本開示の一般的な概要を提供するが、その全ての範囲又はその全ての特徴が全て開示されていない。
【０００７】
本開示の目的は、機器間の通信の信頼性が向上し、遅延が減少することで、異なるビジネス及び流量タイプのＱｏＳ要求を満たすように、電子機器及び無線通信方法を提供することである。
【課題を解決するための手段】
【０００８】
本開示の一局面によれば、電子機器を提供し、前記電子機器のサービス範囲内の中継デバイスを介して前記電子機器と通信するリモートデバイスに対して、半静的スケジューリングＳＰＳ（Ｓｅｍｉ−ｐｅｒｓｉｓｔｅｎｔ  Ｓｃｈｅｄｕｌｉｎｇ）配置を実行するように配置されている処理回路と、前記中継デバイスヘ前記リモートデバイスのＳＰＳ配置情報を送信するように配置されている送受信回路と、を含む。
【０００９】
本開示の他の一局面によれば、電子機器を提供し、前記電子機器にサービスを提供するネットワーク側デバイスから、前記電子機器を介して前記ネットワーク側デバイスと通信するリモートデバイスの半静的スケジューリングＳＰＳ配置情報を受信するように配置されている送受信回路と、前記ＳＰＳ配置情報を保存することと、前記リモートデバイスヘ前記ＳＰＳ配置情報を送信するように前記送受信回路を制御することとのうち少なくとも一つを実行するように配置されている処理回路と、を含む。
【００１０】
本開示の他の一局面によれば、電子機器を提供し、中継デバイスから、前記中継デバイスを介して前記中継デバイスにサービスを提供するネットワーク側デバイスと通信する前記電子機器の半静的スケジューリングＳＰＳ配置情報を受信するように配置されている送受信回路と、前記ＳＰＳ配置情報を保存するように配置されている処理回路と、を含む。
【００１１】
本開示の他の一局面によれば、ネットワーク側デバイスにより実行される無線通信方法を提供し、前記ネットワーク側デバイスのサービス範囲内の中継デバイスを介して前記ネットワーク側デバイスと通信するリモートデバイスに対して半静的スケジューリングＳＰＳ配置を実行することと、前記中継デバイスヘ前記リモートデバイスのＳＰＳ配置情報を送信することと、を含む。
【００１２】
本開示の他の一局面によれば、中継デバイスにより実行される無線通信方法を提供し、前記中継デバイスにサービスを提供するネットワーク側デバイスから、前記中継デバイスを介して前記ネットワーク側デバイスと通信するリモートデバイスの半静的スケジューリングＳＰＳ配置情報を受信することと、前記ＳＰＳ配置情報を保存することと、前記リモートデバイスヘ前記ＳＰＳ配置情報を送信することとのうち少なくとも一つを実行することと、を含む。
【００１３】
本開示の他の一局面によれば、リモートデバイスにより実行される無線通信方法を提供し、中継デバイスから、前記中継デバイスを介して前記中継デバイスにサービスを提供するネットワーク側デバイスと通信する前記リモートデバイスの半静的スケジューリングＳＰＳ配置情報を受信することと、前記ＳＰＳ配置情報を保存することと、を含む。
【００１４】
本開示に係る電子機器及び無線通信方法を使用して、ネットワーク側デバイスが、リモートデバイスに対してＳＰＳ配置を実行し、中継デバイスへリモートデバイスのＳＰＳ配置を送信することができる。このようにすると、リモートデバイスには、中継デバイスとの間の通信に用いられるＳＰＳ配置情報を有することで、固定の周波数リソースを定期的にリモートデバイスに割り当ててもよい。よって、本開示に係る電子機器及び無線通信方法を使用して、機器間の通信の信頼性が向上し、遅延が減少することで、異なるビジネス及び流量タイプのＱｏＳ要求を満たすことができる。
【００１５】
これからの説明では、さらなる適用領域が明らかになる。この概要における説明及び特定の例は、例示的な目的のみために、本開示の範囲を限定するものではない。
【図面の簡単な説明】
【００１６】
ここで記述する図面は、好適な実施例を例示する目的のみためのものであり、全ての可能な実施ではなく、本開示の範囲を限定することを意図するものではない。図面において、
【図１ａ】本開示の適用シナリオの模式図を示す。
【図１ｂ】本開示の他の適用シナリオの模式図を示す。
【図２】本開示の実施例に係る電子機器の配置の例のブロック図である。
【図３】本開示の実施例に係る、リモートデバイスにＳＰＳ配置を実行するシグナリングフローチャートである。
【図４】本開示の他の実施例に係る、リモートデバイスにＳＰＳ配置を実行するシグナリングフローチャートである。
【図５】本開示の他の実施例に係る、電子機器の配置の例のブロック図である。
【図６】本開示の実施例に係る、リモートデバイスのＳＰＳ配置をアクティブ化するシグナリングフローチャートである。
【図７】本開示の他の実施例に係る、リモートデバイスのＳＰＳ配置をアクティブ化するシグナリングフローチャートである。
【図８】本開示のさらなる実施例に係る、リモートデバイスのＳＰＳ配置をアクティブ化するシグナリングフローチャートである。
【図９】本開示のさらなる実施例に係る、電子機器の配置の例のブロック図である。
【図１０】本開示の実施例に係る、一つのリモートデバイスに対してＳＰＳ配置を実行し当該ＳＰＳ配置をアクティブ化するシグナリングフローチャートである。
【図１１】本開示の他の実施例に係る、複数のリモートデバイスに対してＳＰＳ配置を実行し当該ＳＰＳ配置をアクティブ化するシグナリングフローチャートである。
【図１２】本開示の実施例に係るネットワーク側デバイスにより実行される無線通信方法を示すフローチャートである。
【図１３】本開示の実施例に係る中継デバイスにより実行される無線通信方法を示すフローチャートである。
【図１４】本開示の実施例に係るリモートデバイスにより実行される無線通信方法を示すフローチャートである。
【図１５】ｅＮＢの例示的配置の第１例を示すブロック図である。
【図１６】ｅＮＢの例示的配置の第２例を示すブロック図である。
【図１７】スマートフォンの例示的配置の例を示すブロック図である。
【図１８】カーナビゲーション装置の例示的配置の例を示すブロック図である。
【００１７】
本開示は、様々な修正及び代替されてもよいが、その特定の実施例が例として図面に示され、ここで詳細に説明されている。但し、理解すべきことは、ここで特定の実施例に対する記述は、本開示を開示された特定の形態に限定することを意図するものではないが、逆に、本開示の目的は、本開示の精神及び範囲内に入る全ての修正、均等及び代替を含むことが意図される。なお、いくつかの図面にわたって、対応する符号は対応する部分を示す。
【発明を実施するための形態】
【００１８】
以下、添付の図面を参照して、本開示の例をより完全に記述する。以下の記述は、本質的に単に例示的なものであり、本開示、応用又は用途を限定することを意図するものではない。
【００１９】
本開示は明らかになって、その範囲を当業者に十分に提供するように、示例的実施例を提供する。特定の部件、装置及び方法の例のような多くの特定の詳細を記述して、本開示の実施例を詳細に理解するようになる。当業者にとって、特定の詳細を使用しなくて、示した実施例は多くの異なる方式で実施されるが、それらは本開示の範囲を制限しないと解釈されるべきである。ある示例的実施例では、周知の過程、周知の構成及び周知の技術について、詳細に記述しない。
【００２０】
以下の順番で説明する。
１．適用シナリオ
２．第１実施例
３．第２実施例
４．第３実施例
５．第４実施例
６．第５実施例
７．第６実施例
８．応用例。
【００２１】
＜１．適用シナリオ＞
【００２２】
図１（ａ）は、本開示の適用シナリオの模式図を示す。図１（ａ）に示すように、基地局に含まれる範囲内に、中継デバイス及びリモートデバイスが存在し、リモートデバイスは中継デバイスを介して中継デバイスにサービスを提供する基地局と通信する。具体的に、リモートデバイスと中継デバイスとの間、サイドリンク（ｓｉｄｅｌｉｎｋ）を介して通信し、中継デバイスと基地局との間、セルラーリンクを介して通信する。
【００２３】
図１（ｂ）は、本開示の他の適用シナリオの模式図を示す。図１（ｂ）に示すように、基地局に含まれる範囲内に中継デバイスが存在するが、リモートデバイスが基地局に含まれる範囲の以外に位置する。リモートデバイスは、中継デバイスを介して、中継デバイスにサービスに提供する基地局と通信する。具体的に、リモートデバイスと中継デバイスとの間、サイドリンク（ｓｉｄｅｌｉｎｋ）を介して通信し、中継デバイスと基地局との間、セルラーリンクを介して通信する。図１（ａ）及び図１（ｂ）において、リモートデバイスは、非３ＧＰＰリンクを介して中継デバイスと通信してもよい。なお、図１（ａ）及び図１（ｂ）には、基地局のサービス範囲内の一つの中継デバイスのみを示しているが、基地局のサービス範囲内に複数の中継デバイスが存在する可能性がある。なお、図１（ａ）及び図１（ｂ）には、中継デバイスと一つのリモートデバイスが接続されている場合のみを示しているが、中継デバイスは、複数のリモートデバイスに接続されている可能性がある。当該複数のリモートデバイスは、いずれもその中継デバイスを介して、基地局と通信する。
【００２４】
図１（ａ）及び図１（ｂ）には、本開示の２つの示例的シナリオを示しているが、本開示の適用シナリオが、これに限定されない。本開示の技術案は、Ｄ２Ｄ通信システム、Ｖ２Ｘ通信システムのような全ての機器間の通信を含む通信システム、及び中継を含む通信システムなどに適用する。
【００２５】
＜２．第１実施例＞
【００２６】
この実施例において、本開示の実施例に係るネットワーク側デバイスについて詳細に説明する。図２は、本開示の実施例に係る電子機器２００の配置の例のブロック図である。ここの電子機器２００は、例えば、図１（ａ）及び図１（ｂ）に示された基地局のような無線通信ネットワークにおけるネットワーク側デバイスであってもよく、ｅＮＢ及びｇＮＢ（５ＧにおけるノードＢ）等を含むが、これらに限定されない。
【００２７】
図２に示すように、電子機器２００は、処理回路２１０と送受信回路２２０を含んでもよい。なお、電子機器２００は、一つの処理回路２１０を含んでもよく、複数の処理回路２１０を含んでもよい。
【００２８】
さらに、処理回路２１０は、様々な異なる機能及び／又は操作を実行するように、様々な別個の機能ユニットを含んでもよい。なお、これらの機能ユニットは、物理的エンティティ又は論理的エンティティであってもよく、異なる名称のユニットは同一物理的エンティティによって実現されてもよい。
【００２９】
本開示の実施例によれば、処理回路２１０は、配置ユニット２１１を含んでもよい。
【００３０】
本開示の実施例によれば、配置ユニット２１１は、リモートデバイスに対してＳＰＳ配置を実行してもよい。ここのリモートデバイスは、電子機器２００のサービス範囲内の中継デバイスを介して、電子機器２００と通信する。例えば、図１（ａ）及び図１（ｂ）における基地局は、リモートデバイスにＳＰＳ配置を実行してもよい。つまり、配置ユニット２１１は、リモートデバイスのＳＰＳリソースを配置してもよい。ここのＳＰＳリソースは、リモートデバイスと中継デバイス間の通信に使用されるので、サイドリンクＳＰＳとも呼ばれる。
【００３１】
本開示の実施例によれば、送受信回路２２０は、中継デバイスヘリモートデバイスのＳＰＳ配置情報を送信してもよい。ただし、ＳＰＳ配置情報に、ＳＰＳインデックス及びＳＰＳ周期などの情報を含むリモートデバイスのＳＰＳ配置を含む。
【００３２】
以上のように、本開示の実施例に係る、ネットワーク側デバイスである電子機器２００は、そのサービス範囲内にある中継デバイスに接続されているリモートデバイスに対してＳＰＳ配置を実行し、中継デバイスヘリモートデバイスのＳＰＳ配置情報を送信してもよい。このようにすると、リモートデバイスは、中継デバイスとの間の通信に用いられるＳＰＳ配置情報を有することで、固定の周波数リソースをリモートデバイスに定期的に分配してもよい。つまり、本開示の実施例によれば、ＳＰＳ技術を端末装置間の通信に適用することにより、機器間の通信の信頼性が向上し、遅延が減少することで、異なるビジネス及び流量タイプのＱｏＳ要求を満たすことができる。
【００３３】
本開示の実施例によれば、送受信回路２２０は、上位レイヤシグナリングによって、中継デバイスヘリモートデバイスのＳＰＳ配置情報を送信してもよい。
【００３４】
本開示の実施例によれば、上位レイヤシグナリングは、ＲＲＣ（Ｒａｄｉｏ  Ｒｅｓｏｕｒｃｅ  Ｃｏｎｔｒｏｌ）シグナリングを含んでもよい。具体的に、送受信回路２２０は、ＲａｄｉｏＲｅｓｏｕｒｃｅＣｏｎｆｉｇＤｅｄｉｃａｔｅｄメッセージにおけるＳＰＳ−Ｃｏｎｆｉｇセルを利用して、リモートデバイスのＳＰＳ配置情報を保持してもよい。
【００３５】
本開示の実施例によれば、処理回路２１０（例えば、識別情報生成ユニット、図示せず）は、さらに、ＳＰＳ配置情報に対応するリモートデバイスの識別情報を生成し、リモートデバイスの識別情報をリモートデバイスのＳＰＳ配置情報に含めるように配置されていてもよい。つまり、ＳＰＳ配置情報に追加している識別情報は、当該ＳＰＳ配置情報に含まれるＳＰＳ配置が識別情報に対応するリモートデバイスに対するＳＰＳ配置であり、識別情報に対応するリモートデバイスと中継デバイスとの間の通信に用いられるＳＰＳ配置である、ように指示してもよい。処理回路２１０は、ＳＰＳ配置情報に対応するリモートデバイスの識別情報を生成した後、この識別情報をＳＰＳ配置情報に含めて、ともに送受信回路２２０を介して中継デバイスに送信してもよい。つまり、ＳＰＳ配置情報には、ＳＰＳインデックス及びＳＰＳ周期などの情報を含むＳＰＳ配置と、当該ＳＰＳ配置情報に対応するリモートデバイスの識別情報とのような、少なくとも二つの部分の情報を含む。
【００３６】
本開示の実施例によれば、リモートデバイスの識別情報には、当該リモートデバイスのＲＮＴＩ（Ｒａｄｉｏ  Ｎｅｔｗｏｒｋ  Ｔｅｍｐｏｒｙ  Ｉｄｅｎｔｉｔｙ）を含んでもよい。もちろん、本開示は、識別情報について限定していなく、他の識別情報を含んでもよい。ここで、リモートデバイスの識別情報は、電子機器２００からリモートデバイスに分配した識別情報であってもよい。
【００３７】
本開示に係る一つの非限定的な例では、「ｓｌ−Ｒ−ＳＰＳ−ＲＮＴＩ」でリモートデバイスのＲＮＴＩを示し、上位レイヤシグナリングに１つの「ｓｌ−Ｒ−ＳＰＳ−ＲＮＴＩ」に関するシグナリングに追加してもよい。ただし、「ｓｌ」はサイドリンク（ｓｉｄｅｌｉｎｋ）を示し、「Ｒ」はリモートデバイスを示し、「ｓｌ−Ｒ−ＳＰＳ−ＲＮＴＩ」は、電子機器２００からリモートデバイスに分配した、サイドリンクに用いられるＳＰＳのＲＮＴＩを示す。もちろん、上記の例は限定的な例ではないので、他のパラメータでリモートデバイスのＲＮＴＩを示してもよい。
【００３８】
本開示の実施例によれば、電子機器２００はリモートデバイスにＳＰＳ配置を配置し、対応するＳＰＳ配置情報を生成した後、電子機器２００は、中継デバイスにこのようなＳＰＳ配置情報を送信してもよい。本開示の実施例によれば、電子機器２００は中継デバイスにリモートデバイスのＳＰＳ配置情報を送信する時に、次のような２つの方式が有してもよい。
【００３９】
第１の配置方式
【００４０】
第１のＳＰＳ配置情報を送信する方式では、処理回路２１０（例えば、指示情報生成ユニット）は、リモートデバイスのＳＰＳ配置情報の宛先端末が中継デバイスであるかどうかを指示するための指示情報を生成するように配置されてもよく、送受信回路２２０は、さらに、中継デバイスへ指示情報を送信するように配置されてもよい。
【００４１】
本開示において、リモートデバイスのＳＰＳ配置は、リモートデバイスが中継デバイスとの間の通信を実行するためのＳＰＳ配置であるが、中継デバイスにも、識別情報を抽出するように、リモートデバイスのＳＰＳ配置を保存する必要がある。前記中継デバイスは、前記リモートデバイスのＳＰＳ配置をその上位レイヤに保存してもよい。これにより、ネットワーク側デバイスから送信するリモートデバイスのＳＰＳ配置情報の宛先端末は、中継デバイスであっても、リモートデバイスであってもよい。
【００４２】
本開示の実施例によれば、処理回路２１０は、リモートデバイスのＳＰＳ配置情報の宛先端末を指示するための指示情報を生成するように配置されてもよい。例えば、処理回路２１０は、アプリケーションレイヤ（Ａｄａｐｔａｔｉｏｎ  Ｌａｙｅｒ）にこのような指示情報を含んでもよい。具体的に、処理回路２１０は、さらに、１ビットの情報でこのような指示情報を示すように配置されてもよい。例えば、指示情報が「０」である場合、リモートデバイスのＳＰＳ配置情報の宛先端末が中継デバイスではなくリモートデバイスであることを示し、指示情報が「１」である場合、リモートデバイスのＳＰＳ配置情報の宛先端末は中継デバイスであることを示す。
【００４３】
本開示の実施例によれば、リモートデバイスのＳＰＳ配置情報の宛先端末がリモートデバイスである場合、中継デバイスは、リモートデバイスに当該リモートデバイスのＳＰＳ配置情報を直接に転送する。つまり、中継デバイスに当該リモートデバイスのＳＰＳ配置情報を保存しなく、当該リモートデバイスのＳＰＳ配置情報をアンパック（例えば、上位レイヤアンパック）しなく、直接に転送する。このような場合において、中継デバイスは、リモートデバイスのＳＰＳ配置情報を取得できない。これにより、本開示の実施例によれば、電子機器２００は、中継デバイスに、ＳＰＳ配置情報の宛先端末が中継デバイスではないリモートデバイスのＳＰＳ配置情報と、ＳＰＳ配置情報の宛先端末が中継デバイスであるリモートデバイスのＳＰＳ配置情報のような、同じな内容を含むリモートデバイスのＳＰＳ配置情報を２回に送信してもよい。本開示の実施例によれば、同じな内容を含むＳＰＳ配置情報とは、ＳＰＳ配置情報に含まれる、ＳＰＳインデックス及びＳＰＳ周期などの情報であるＳＰＳ配置が完全に同じであって、ＳＰＳ配置情報に含まれるリモートデバイスの識別情報も完全に同じであることを指す。リモートデバイスのＳＰＳ配置情報の宛先端末が中継デバイスである場合、中継デバイスは、リモートデバイスに当該リモートデバイスのＳＰＳ配置情報を転送しなく、当該リモートデバイスのＳＰＳ配置情報を保存する。ここで、リモートデバイスのＳＰＳ配置情報を保存することは、中継デバイスにより当該リモートデバイスのＳＰＳ配置情報をアンパック（例えば、上位レイヤアンパック）し、ＳＰＳ配置情報に含まれるリモートデバイスの識別情報を抽出することを含んでもよい。本開示に記載の実施例によれば、中継デバイスはそれと接続しているリモートデバイスをよく区別してもよい。つまり、複数のリモートデバイスがともに同一の中継デバイスを介してネットワーク側デバイスと通信する場合、複数のリモートデバイスを区別するように、当該中継デバイスはそれぞれ複数のリモートデバイスのＳＰＳ配置情報を保存して、それぞれ複数のリモートデバイスの識別情報を抽出してもよい。本開示の実施例によれば、中継デバイスが一つのリモートデバイスのみに接続されている場合、電子機器２００は、中継デバイスにリモートデバイスのＳＰＳ配置情報を一回に送信して、中継デバイスは当該リモートデバイスのＳＰＳ配置情報をそれに接続しているリモートデバイスに転送すればよい。
【００４４】
図３は、本開示の実施例に係る、リモートデバイスにＳＰＳ配置を実行するシグナリングフローチャートである。図３に示したネットワーク側デバイスは、本開示に係る電子機器２００を採用してもよい。図３に示すように、ステップＳ３０１において、リモートデバイスは、望ましい構築するＳＰＳ配置の周期及び数などを指示するためのＵＥＡｓｓｉｓｔａｎｃｅＩｎｆｏｒｍａｔｉｏｎメッセージを中継デバイスに送信する。次に、ステップＳ３０２において、中継デバイスは、当該ＵＥＡｓｓｉｓｔａｎｃｅＩｎｆｏｒｍａｔｉｏｎメッセージをネットワーク側デバイスに転送する。次に、ステップＳ３０３において、ネットワーク側デバイスは、中継デバイスにリモートデバイスのＳＰＳ配置情報を送信する。このステップにおいて、ネットワーク側デバイスは、リモートデバイスのＳＰＳ配置情報の宛先端末が中継デバイスであるように指示するための指示情報を生成してもよい。次に、ステップＳ３０４において、中継デバイスは、当該リモートデバイスのＳＰＳ配置情報を保存する。次に、ステップＳ３０５において、ネットワーク側デバイスは、再び、中継デバイスにリモートデバイスのＳＰＳ配置情報を送信する。このようなステップにおいて、送信のＳＰＳ配置情報の内容は、ステップＳ３０３において送信されたＳＰＳ配置情報の内容と同じであってもよい。なお、ステップＳ３０５において、ネットワーク側デバイスは、リモートデバイスのＳＰＳ配置情報の宛先端末が中継デバイスではなくリモートデバイスであるように指示するための指示情報を生成してもよい。次に、ステップＳ３０６において、中継デバイスは、リモートデバイスに当該リモートデバイスのＳＰＳ配置情報を直接に転送する。
【００４５】
上記したように、本開示は、本質的には、ネットワーク側デバイスから中継デバイスに送信するメッセージの宛先を指示する方法を提供する。つまり、上記の指示情報は、ＳＰＳ配置情報の宛先端末を示すことだけではなく、通常のメッセージの宛先端末を示してもよい。例えば、電子機器２００の処理回路２１０は、電子機器２００から中継デバイスに送信するメッセージの宛先端末が中継デバイスであるかどうかを指示するための指示情報を生成するように配置されてもよい。送受信回路２２０は、中継デバイスに当該指示情報を送信するように配置されてもよい。ここで、電子機器２００から中継デバイスに送信するメッセージが、上位レイヤシグナリング、例えば、ＲＲＣシグナリングによって送信される。なお、電子機器２００は、１ビットの情報で、この指示情報を示してもよい。例えば、指示情報が「０」である場合、メッセージの宛先端末が中継デバイスではなく、リモートデバイスであることを示す。指示情報が「１」である場合、メッセージの宛先端末が中継デバイスであることを示す。より具体的な実現方式はＳＰＳ配置の指示情報に類似するので、ここでは重複して説明しない。
【００４６】
上記したように、本開示に係る第１のＳＰＳ配置情報を送信する方式によれば、電子機器２００は、リモートデバイスのＳＰＳ配置情報の宛先端末が中継デバイスであるかどうかを指示するための指示情報を生成してもよい。このような指示情報は、１ビットの情報を含んでもよい。ネットワーク側デバイスは、中継デバイスに、中継デバイスが当該リモートデバイスのＳＰＳ配置情報を保存するためのリモートデバイスのＳＰＳ配置情報と、リモートデバイスが当該リモートデバイスのＳＰＳ配置情報を保存するためのリモートデバイスのＳＰＳ配置情報とを送信することによって、リモートデバイスへのＳＰＳリソースの配置情報を実現する。
【００４７】
第２の配置方式
【００４８】
第２のＳＰＳ配置情報を送信する方式では、処理回路２１０は、中継デバイスにリモートデバイスのＳＰＳ配置情報を転送して保存するように指示するための指示情報を生成するように配置されてもよく、送受信回路２２０は、さらに、中継デバイスへ指示情報を送信するように配置されてもよい。
【００４９】
同様に、処理回路２１０は、アプリケーションレイヤ（Ａｄａｐｔａｔｉｏｎ  Ｌａｙｅｒ）にこのような指示情報を含んでもよい。具体的に、処理回路２１０は、さらに、２ビットの情報でこのような指示情報を示すように配置されてもよい。例えば、指示情報が「１０」である場合、中継デバイスがリモートデバイスのＳＰＳ配置情報を転送して保存することを示す。
【００５０】
本開示の実施例によれば、中継デバイスはこのような指示情報を受信した場合、中継デバイスは、当該リモートデバイスのＳＰＳ配置情報を保存し、当該リモートデバイスのＳＰＳ配置をアンパック（例えば、上位レイヤアンパック）し、リモートデバイスの識別情報を抽出する。それとともに、中継デバイスは、当該リモートデバイスのＳＰＳ配置情報をリモートデバイスに直接に転送してもよい。ここの保存過程及び転送過程は、第１の方式に類似する。
【００５１】
本開示の実施例によれば、処理回路２１０は、上記２ビットの指示情報で、中継デバイスのリモートデバイスのＳＰＳ配置情報以外の他のメッセージに対する処理方式を指示してもよい。例えば、指示情報が「００」である場合、中継デバイスは、メッセージ（例えば、ネットワーク側デバイスからリモートデバイスに送信したメッセージ。当該メッセージにおける具体的な内容が中継デバイスにより取得される必要がない）をリモートデバイスに直接に転送する、即ち、メッセージを保存しなくて、メッセージをアンパック（例えば、上位レイヤアンパック）しないように指示する。指示情報が「０１」である場合、中継デバイスはメッセージ（例えば、ネットワーク側デバイスから中継デバイスに送信したメッセージ）をローカルに保存する、即ち、メッセージをアンパック（例えば、上位レイヤアンパック）し、当該メッセージを転送しないように指示する。指示情報が「１０」である場合、中継デバイスはメッセージ（例えば、上記のリモートデバイスのＳＰＳ配置情報）をローカルに保存し、メッセージをリモートデバイスに転送するように指示する。指示情報が「１１」である場合、予約するように指示する。
【００５２】
上記したように、第２の方式において、本開示は、本質的に、中継デバイスがネットワーク側からのメッセージに対する処理方式を指示するための方法を提供する。つまり、処理回路２１０は、中継デバイスが電子機器２００からのメッセージに対する処理方式を指示するための指示情報を生成するように配置されてもよく、送受信回路２２０は、このような指示情報を中継デバイスに送信してもよい。さらに、中継デバイスは、このような指示情報に従って、電子機器２００からのメッセージに対して処理を実行してもよい。この処理は、当該メッセージをリモートデバイスに転送することと、当該メッセージを保存することとのうち、少なくともの１つを含む。本開示の実施例によれば、電子機器２００からのメッセージは、上位レイヤシグナリング、例えば、ＲＲＣシグナリングによって送信されるメッセージであってもよい。
【００５３】
図４は、本開示の他の実施例に係る、リモートデバイスにＳＰＳ配置を実行するシグナリングフローチャートである。図４に示されたネットワーク側デバイスは、本開示に係る電子機器２００を採用してもよい。図４に示すように、ステップＳ４０１において、リモートデバイスは、望ましい構築するＳＰＳ配置の周期及び数などを指示するためのＵＥＡｓｓｉｓｔａｎｃｅＩｎｆｏｒｍａｔｉｏｎメッセージを中継デバイスに送信する。次に、ステップＳ４０２において、中継デバイスは、当該ＵＥＡｓｓｉｓｔａｎｃｅＩｎｆｏｒｍａｔｉｏｎメッセージをネットワーク側デバイスに転送する。次に、ステップＳ４０３において、ネットワーク側デバイスは、中継デバイスにリモートデバイスのＳＰＳ配置情報を送信する。このステップにおいて、ネットワーク側デバイスは、中継デバイスにリモートデバイスのＳＰＳ配置情報を保存して転送するように指示するための指示情報を生成してもよい。次に、ステップＳ４０４において、中継デバイスは、当該リモートデバイスのＳＰＳ配置情報を保存して、即ち、当該ＳＰＳ配置情報をアンパック（例えば、上位レイヤアンパック）する。次に、ステップＳ４０５において、中継デバイスは、リモートデバイスに当該ＳＰＳ配置情報を転送してもよい。
【００５４】
上記したように、本開示に係る第２のＳＰＳ配置情報を送信する方式によれば、電子機器２００は、中継デバイスにリモートデバイスのＳＰＳ配置を転送して保存するように指示するための指示情報を生成してもよい。このような指示情報は、２ビットの情報を含んでもよい。ネットワーク側デバイスは、中継デバイスにリモートデバイスのＳＰＳ配置情報を一回だけで送信することによって、リモートデバイスへのＳＰＳリソースの配置を実現する。
【００５５】
以上、リモートデバイスに対してＳＰＳ配置を実行する実施例を詳細に記述した。リモートデバイスは、ＳＰＳ配置情報を受信した後、一般的にすぐにこのようなＳＰＳ配置を使用しないが、当該ＳＰＳ配置をアクティブ化するためのアクティブ化情報を受信した後ＳＰＳ配置を使用する。
【００５６】
本開示の実施例によれば、処理回路２１０（例えば、アクティブ化情報生成ユニット，図示せず）は、さらに、リモートデバイスのＳＰＳ配置をアクティブ化するためのアクティブ化情報を生成するように配置されてもよく、送受信回路２２０は、さらに、中継デバイスヘアクティブ化情報を送信するように配置されてもよい。
【００５７】
本開示の実施例によれば、送受信回路２２０は、さらに、下位レイヤシグナリングによって中継デバイスヘアクティブ化情報を送信するように配置されてもよい。例えば、送受信回路２２０は、ＰＤＣＣＨ（Ｐｈｙｓｉｃａｌ  Ｄｏｗｎｌｉｎｋ  Ｃｏｎｔｒｏｌ  Ｃｈａｎｎｅｌ）で、中継デバイスヘアクティブ化情報を送信してもよい。更具体的に、送受信回路２２０は、ＤＣＩ（Ｄｏｗｎｌｉｎｋ  Ｃｏｎｔｒｏｌ  Ｉｎｆｏｒｍａｔｉｏｎ）を利用して中継デバイスヘアクティブ化情報を送信してもよい。
【００５８】
本開示の実施例によれば、処理回路２１０は、さらに、リモートデバイスの識別情報を利用して、ＤＣＩをスクランブルして、アクティブ化情報を生成するように配置されてもよい。具体的に、ＤＣＩは、フォーマット５Ａ（ｆｏｒｍａｔ  ５Ａ）を採用されてもよい。ここで、ＤＣＩフォーマット５Ａがスクランブルされた後、各ドメインの機能も従来のＤＣＩフォーマット５Ａと同じである。
【００５９】
本開示の実施例によれば、アクティブ化情報には、ＳＰＳ配置に対するリソース指示情報と、当該ＳＰＳ配置をアクティブ化するアクティブ化指示情報を含んでもよい。
【００６０】
本開示の実施例によれば、電子機器２００は、中継デバイスにＳＰＳ配置を解放するための解放情報を送信してもよい。解放情報の送信方式について、アクティブ化指示情報の送信方式と同じであってもよい。よって、本開示に記載のアクティブ化指示情報に関する全ての実施例は、いずれも解放情報に適用される。つまり、アクティブ化指示情報を送信する方式に類似して、電子機器２００は、下位レイヤシグナリングによって中継デバイスにリモートデバイスのＳＰＳ配置に対する解放情報を送信してもよい。なお、電子機器２００は、例えば、ＲＲＣシグナリングの上位レイヤシグナリングによって中継デバイスにリモートデバイスのＳＰＳ配置に対する解放情報を送信してもよい。
【００６１】
本開示に係る一つの非限定的な実施例では、「ｓｌ  ＳＰＳ  ｃｏｎｆｉｇｕｒａｔｉｏｎ  ｉｎｄｅｘ」でＳＰＳに配置するリソース指示情報を示してもよく、「Ａｃｔｉｖａｔｉｏｎ／ｒｅｌｅａｓｅ  ｉｎｄｉｃａｔｉｏｎ」で当該ＳＰＳ配置をアクティブ化／解放するアクティブ化／解放指示情報を示してもよい。なお、本開示に係る非限定的な実施例では、上位レイヤシグナリングに、「ＤＣＩ  ｆｏｒｍａｔ  ５Ａがｓｌ−Ｒ−ＳＰＳ−ＲＮＴＩによってスクランブルされた場合、ｓｌ  ＳＰＳ  ｃｏｎｆｉｇｕｒａｔｉｏｎ  ｉｎｄｅｘ−  ３  ｂｉｔｓ，Ａｃｔｉｖａｔｉｏｎ／ｒｅｌｅａｓｅ  ｉｎｄｉｃａｔｉｏｎ−１  ｂｉｔという域が存在する」というシグナリングを追加してもよい。もちろん、上記の例は限定的なものではなく、他のパラメータでＳＰＳに配置するリソース指示情報及び当該ＳＰＳ配置をアクティブ化するアクティブ化指示情報を示してもよく、他のシグナリングで上記情報を示してもよい。
【００６２】
本開示の実施例によれば、中継デバイスは、アクティブ化情報を受信した後、リモートデバイスに当該アクティブ化情報を転送してもよい。この部分について、次に詳細に説明する。
【００６３】
本開示の実施例によれば、処理回路２１０は、さらに、アクティブ化情報の宛先リモートデバイスを確認するための確認情報を生成するように配置されてもよく、送受信回路２２０は、さらに、中継デバイスへ確認情報を送信するように配置されてもよい。ここで、電子機器２００は、中継デバイスからリモートデバイスへ当該確認情報を転送するように、中継デバイスへ確認情報を送信してもよい。本開示の実施例によれば、確認情報には、リモートデバイスのＳＰＳ配置をアクティブ化するアクティブ化指示情報を含む。つまり、リモートデバイスは電子機器２００からの確認情報を受信した後、そのＳＰＳ配置をアクティブ化して、即ち、ＳＰＳ配置におけるリソースを使用して始める。
【００６４】
本開示の実施例によれば、処理回路２１０は、ＭＡＣ（Ｍｅｄｉａ  Ａｃｃｅｓｓ  Ｃｏｎｔｒｏｌ）  ＣＥ  （Ｃｏｎｔｒｏｌ  Ｅｌｅｍｅｎｔ）を利用して確認情報を生成してもよい。さらに、処理回路２１０は、ＭＡＣ  ＰＤＵ（Ｐｒｏｔｏｃｏｌ  Ｄａｔａ  Ｕｎｉｔ）サブヘッダのＬＣＩＤ（ｌｏｇｉｃａｌ  ｃｈａｎｎｅｌ  ｉｄｅｎｔｉｆｙ）における予約ビット（予約ビット「１０１１１」を含むが、これらに限定されない）を利用して確認情報を生成してもよい。
【００６５】
上記したように、電子機器２００は、リモートデバイスのＳＰＳ配置をアクティブ化するように、中継デバイスを介してリモートデバイスにＳＰＳ配置をアクティブ化するためのアクティブ化情報を送信してもよく、中継デバイスを介してリモートデバイスへ確認情報を送信してもよい。これにより、ＳＰＳ技術端末装置間の通信に適用することにより、機器間の通信の信頼性が向上し、遅延が減少し、異なるビジネス及び流量タイプのＱｏＳ要求を満たすことができる。
【００６６】
＜３．第２実施例＞
【００６７】
この実施例において、本開示の実施例に係る電子機器５００について詳細に説明する。ここの電子機器５００は、無線通信システムにおける中継デバイス、例えば、図１（ａ）と図１（ｂ）に示された中継デバイスであってもよい。図５は、本開示の実施例に係る電子機器５００の配置の例のブロック図である。
【００６８】
図５に示すように、電子機器５００は、処理回路５１０と送受信回路５２０を含んでもよい。なお、電子機器５００は、一つの処理回路５１０を含んでもよく、複数の処理回路５１０を含んでもよい。
【００６９】
さらに、処理回路５１０は、様々な異なる機能及び／又は操作を実行するように、様々な別個の機能ユニットを含んでもよい。なお、これらの機能ユニットは、物理的エンティティ又は論理的エンティティであってもよく、そして異なる名称のユニットは同一物理的エンティティによって実現されてもよい。
【００７０】
本開示の実施例によれば、処理回路５１０は、処理ユニット５１１を含んでもよい。
【００７１】
本開示の実施例によれば、送受信回路５２０は、電子機器５００にサービスを提供するネットワーク側デバイスから、電子機器５００を介してネットワーク側デバイスと通信するリモートデバイスのＳＰＳ配置情報を受信してもよい。ここで、ネットワーク側デバイスは、例えば、第１実施例に記載の電子機器２００であってもよい。
【００７２】
本開示の実施例によれば、処理回路５１０における処理ユニット５１１は、ＳＰＳ配置情報を保存することと、送受信回路５２０を制御してリモートデバイスヘＳＰＳ配置情報を送信することとのうち少なくとも一つを実行してもよい。
【００７３】
上記したように、本開示の実施例に係る電子機器５００は、ネットワーク側デバイスから、リモートデバイスのＳＰＳ配置情報を受信してもよく、当該ＳＰＳ配置を保存する又はリモートデバイスに当該ＳＰＳ配置情報を転送してもよい。これにより、異なるビジネス及び流量タイプのＱｏＳ要求を満たすことができる。
【００７４】
本開示の実施例によれば、送受信回路５２０は、上位レイヤシグナリングによってリモートデバイスのＳＰＳ配置情報、例えば、以上に説明したＲＲＣシグナリングを受信するように配置されてもよい。
【００７５】
本開示の実施例によれば、ＳＰＳ配置情報は、ＳＰＳ配置情報に対応するリモートデバイスの識別情報、例えば、以上に説明したＲＮＴＩを含んでもよい。
【００７６】
以上では説明したように、第１のＳＰＳ配置を送信する方式では、本開示の実施例によれば、送受信回路５２０は、ネットワーク側デバイスから、ＳＰＳ配置情報の宛先端末が電子機器５００であるかどうかを指示するための指示情報を受信してもよい。さらに、処理回路５２０では、指示情報はＳＰＳ配置情報の宛先端末が電子機器５００である場合、ＳＰＳ配置情報を保存し、指示情報はＳＰＳ配置情報の宛先端末が電子機器５００ではない場合、送受信回路５２０を制御してリモートデバイスヘＳＰＳ配置情報を送信してもよい。
【００７７】
本開示の実施例によれば、電子機器５００は、アプリケーションレイヤにおけるローカルアイデンティティ（ｌｏｃａｌ  ＩＤ）によって、ＳＰＳ配置情報の宛先がどのリモートデバイスであるかを識別することで、ＳＰＳ配置情報を対応するリモートデバイスを転送してもよい。
【００７８】
以上では説明したように、第２のＳＰＳ配置情報を送信する方式では、送受信回路５２０は、ネットワーク側デバイスから、電子機器５００にリモートデバイスのＳＰＳ配置情報を保存して転送するように指示するための指示情報を受信してもよい。このような指示情報を受信する場合、処理回路５１０は、ＳＰＳ配置情報を保存し、送受信回路５２０を制御してリモートデバイスヘＳＰＳ配置情報を送信してもよい。
【００７９】
本開示の実施例によれば、処理回路５１０は、ＳＰＳ配置情報を保存する場合、当該ＳＰＳ配置情報を（例えば、上位レイヤアンパック）アンパックすることで、リモートデバイスの識別情報を抽出してもよい。
【００８０】
本開示の実施例に係る、二つのＳＰＳ配置情報を送信する方式は第１実施例の説明で詳細に説明したので、ここでは重複して説明しない。次に、本開示の実施例に係る、いくつのＳＰＳ配置をアクティブ化する方式について詳細に説明する。
【００８１】
本開示の実施例によれば、送受信回路５２０は、ネットワーク側デバイスから、リモートデバイスのＳＰＳ配置をアクティブ化するための第１アクティブ化情報を受信するように配置されていてもよい。以上では説明したように、送受信回路５２０は、さらに、下位レイヤシグナリングによってネットワーク側デバイスから、第１アクティブ化情報を受信するように配置されていてもよい。例えば、送受信回路５２０は、ＰＤＣＣＨ（Ｐｈｙｓｉｃａｌ  Ｄｏｗｎｌｉｎｋ  Ｃｏｎｔｒｏｌ  Ｃｈａｎｎｅｌ）で、ネットワーク側デバイスから第１アクティブ化情報を受信してもよい。更具体的に、送受信回路５２０は、ＤＣＩ（Ｄｏｗｎｌｉｎｋ  Ｃｏｎｔｒｏｌ  Ｉｎｆｏｒｍａｔｉｏｎ）で、ネットワーク側デバイスから第１アクティブ化情報を受信してもよい。
【００８２】
本開示の実施例によれば、第１アクティブ化情報は、ＳＰＳ配置に対するリソース指示情報及び当該ＳＰＳ配置をアクティブ化するアクティブ化指示情報を含んでもよい。なお、第１アクティブ化情報は、ネットワーク側デバイスリモートデバイスの識別情報を利用してＤＣＩをスクランブルすることによって、生成される。
【００８３】
本開示の実施例によれば、処理回路５１０は、リモートデバイスの識別情報を利用して、第１アクティブ化情報をデスクランブルしてもよい。以上のように、電子機器５００は、それと接続関係があるリモートデバイスのＳＰＳ配置を保存することで、リモートデバイスの識別情報を取得してもよい。電子機器５００が複数のリモートデバイスに接続されている場合、電子機器５００は、複数のリモートデバイスの識別情報を取得できる。なお、電子機器５００は、電子機器５００の自身の識別情報を取得してもよい。つまり、電子機器５００は、ネットワーク側デバイスから、電子機器５００とリモートデバイスとの間の通信に用いられるＳＰＳ配置情報、及び、電子機器５００とネットワーク側デバイスとの間の通信に用いられるＳＰＳ配置情報を受信してもよい。この２つのＳＰＳ配置情報は、それぞれ、電子機器５００の第１識別情報（リモートデバイスとの間の通信に対するＳＰＳ配置情報）と第２識別情報（ネットワーク側デバイスとの間の通信に対する）を含んでもよい。電子機器５００は、第１アクティブ化情報を受信した後、全てのリモートデバイスの識別情報及び電子機器５００の自身の識別情報を利用して、当該第１アクティブ化情報をデスクランブルしようとすることで、第１アクティブ化情報を正しくデスクランブルできる識別情報を見つける。このようにすると、電子機器５００は、第１アクティブ化情報がどのリモートデバイスに対応するかを示すアクティブ化情報を識別することができる。
【００８４】
本開示の実施例によれば、処理回路５１０は、リモートデバイスのＳＰＳ配置をアクティブ化するための第２アクティブ化情報を生成してもよく、送受信回路５２０は、リモートデバイスに第２アクティブ化情報を送信してもよい。
【００８５】
ここで、送受信回路５２０は、上位レイヤシグナリングによってリモートデバイスに第２アクティブ化情報を送信してもよい。例えば、送受信回路５２０は、ＲＲＣシグナリングによって、リモートデバイスに第２アクティブ化情報を送信してもよい。具体的に、電子機器５００は第１アクティブ化情報がどのリモートデバイスに対応するかを識別した後、ＲＲＣシグナリングを利用して、リモートデバイスに第２アクティブ化情報を直接に送信することとしてもよい。ここの第２アクティブ化情報は、リモートデバイスのＳＰＳ配置に対するリソース指示情報、及び、当該ＳＰＳ配置をアクティブ化するアクティブ化指示情報を含んでもよい。なお、送受信回路５２０は、下位レイヤシグナリングによって、リモートデバイスに第２アクティブ化情報を送信してもよい。本開示の実施例によれば、送受信回路５２０は、ＰＳＣＣＨ（Ｐｈｙｓｉｃａｌ  Ｓｉｄｅｌｉｎｋ  Ｃｏｎｔｒｏｌ  Ｃｈａｎｎｅｌ）によって、リモートデバイスに第２アクティブ化情報を送信してもよい。以下の三つのアクティブ化方式は、いずれも下位レイヤシグナリングで第２アクティブ化情報を送信する。
【００８６】
第１のアクティブ化方式
【００８７】
第１のアクティブ化方式では、送受信回路５２０は、下位レイヤシグナリング、例えば、ＰＳＣＣＨによって、リモートデバイスに第２アクティブ化情報を送信してもよい。
【００８８】
なお、処理回路５２０は、リモートデバイスの識別情報を利用して、ＳＣＩ（Ｓｉｄｅｌｉｎｋ  Ｃｏｎｔｒｏｌ  Ｉｎｆｏｒｍａｔｉｏｎ）をスクランブルして、第２アクティブ化情報を生成してもよい。具体的に、ＳＣＩフォーマット２（ｆｏｒｍａｔ  ２）を採用してもよい。ここで、ＳＣＩフォーマット２とは、本開示において、電子機器５００はリモートデバイスに送信するアクティブ化情報を生成するための、新しく定義されるＳＣＩフォーマットである。本開示の実施例によれば、ＳＣＩフォーマット２の各ドメインの機能は、従来のＤＣＩフォーマット５Ａが電子機器５００の第１識別情報によってスクランブルされたものと同じである。この方式では、リモートデバイスは第２アクティブ化情報を受信した時、自身の識別情報で第２アクティブ化情報を正しくデスクランブルすれば、ＳＰＳ配置をアクティブ化してもよい。
【００８９】
図６は、本開示に係る第１のアクティブ化方式のシグナリングフローチャートである。図６に示される中継デバイスは、本開示の実施例に係る電子機器５００であってもよく、ネットワーク側デバイスは本開示の実施例に係る電子機器２００であってもよい。
【００９０】
図６に示すように、ステップＳ６０１において、ネットワーク側デバイスは、中継デバイスへ第１アクティブ化情報を送信する。ここの第１アクティブ化情報は、リモートデバイスの識別情報によってスクランブルされたものであってもよい。次に、ステップＳ６０２において、中継デバイスは、取得した全てのリモートデバイスの識別情報及び中継デバイスの識別情報を利用して、第１アクティブ化情報をデスクランブルすることで、第１アクティブ化情報に対応するリモートデバイスを確定する。次に、ステップＳ６０３において、中継デバイスリモートデバイスの識別情報を利用して、ＳＣＩフォーマット２をスクランブルして第２アクティブ化情報を生成する。次に、ステップＳ６０４において、中継デバイスは、リモートデバイスに第２アクティブ化情報を送信する。
【００９１】
上記したように、在第１のアクティブ化方式では、中継デバイスは、リモートデバイスにスクランブルされたアクティブ化情報を送信してもよい。この実施例において、第２アクティブ化情報は、リモートデバイスのＳＰＳ配置に対するリソース指示情報、及び、当該ＳＰＳ配置をアクティブ化するアクティブ化指示情報を含んでもよい。リモートデバイスは、自身の識別情報で第２アクティブ化情報を正しくデスクランブルする場合、リソース指示情報に指示しているＳＰＳ配置をアクティブ化してもよい。
【００９２】
本開示に係る一つの非限定的な実施例において、「ｓｌ  ＳＰＳ  ｃｏｎｆｉｇｕｒａｔｉｏｎ  ｉｎｄｅｘ」でＳＰＳに配置するリソース指示情報を示してもよく、「Ａｃｔｉｖａｔｉｏｎ／ｒｅｌｅａｓｅ  ｉｎｄｉｃａｔｉｏｎ」で当該ＳＰＳ配置をアクティブ化／解放するアクティブ化／解放指示情報を示してもよい。なお、本開示に係る非限定的な実施例において、上位レイヤシグナリングに「ＳＣＩ  ｆｏｒｍａｔ  ２がｓｌ−Ｒ−ＳＰＳ−ＲＮＴＩスクランブルされた場合、ｓｌ  ＳＰＳ  ｃｏｎｆｉｇｕｒａｔｉｏｎ  ｉｎｄｅｘ−  ３  ｂｉｔｓ，Ａｃｔｉｖａｔｉｏｎ／ｒｅｌｅａｓｅ  ｉｎｄｉｃａｔｉｏｎ−１  ｂｉｔというドメインが存在する」というシグナリングを追加してもよい。もちろん、上記の例は、限定的なものではなく、他のパラメータでＳＰＳに配置するリソース指示情報及び当該ＳＰＳ配置をアクティブ化するアクティブ化指示情報を示してもよく、他のシグナリングで上記情報を示してもよい。
【００９３】
第２のアクティブ化方式
【００９４】
在第２のアクティブ化方式では、送受信回路５２０は、下位レイヤシグナリング、例えば、ＰＳＣＣＨによって、リモートデバイスに第２アクティブ化情報を送信してもよい。
【００９５】
ここで、電子機器５００は、第２アクティブ化情報をスクランブルしなくて、リモートデバイスへスクランブルされない第２アクティブ化情報を直接に送信する。この実施例において、第２アクティブ化情報は、リモートデバイスのＳＰＳ配置に対するリソース指示情報を含むが、リモートデバイスのＳＰＳ配置をアクティブ化するアクティブ化指示情報を含まない。第２アクティブ化情報はスクランブルされないので、リモートデバイスは、第２アクティブ化情報が自身に対応するアクティブ化情報であるかどうかを知ることができない。これにより、この実施例において、リモートデバイスは、第２アクティブ化情報の宛先リモートデバイスを確認するための確認情報を受信する必要がある。
【００９６】
本開示の実施例によれば、送受信回路５２０は、ネットワーク側デバイスから、第２アクティブ化情報の宛先リモートデバイスを確認するための確認情報を受信してもよい。ここの確認情報は、リモートデバイスのＳＰＳ配置をアクティブ化するアクティブ化指示情報を含む。さらに、送受信回路５２０は、リモートデバイスへ当該確認情報を転送してもよい。このようにすると、リモートデバイスは、宛先が自身である確認情報を受信しただけで、第２アクティブ化情報に指示しているＳＰＳ配置をアクティブ化する。
【００９７】
図７は、本開示に係る第２のアクティブ化方式のシグナリングフローチャートである。図７に示される中継デバイスは、本開示の実施例に係る電子機器５００であってもよく、ネットワーク側デバイスは、本開示の実施例に係る電子機器２００であってもよい。
【００９８】
図７に示すように、ステップＳ７０１において、ネットワーク側デバイスは、中継デバイスへ第１アクティブ化情報を送信する。ここの第１アクティブ化情報は、リモートデバイスの識別情報によってスクランブルされたものであってもよい。次に、ステップＳ７０２において、中継デバイスは、取得した全てのリモートデバイスの識別情報を利用して、第１アクティブ化情報をデスクランブルして、第１アクティブ化情報に対応するリモートデバイスを確定する。次に、ステップＳ７０３において、中継デバイスは、リモートデバイスへスクランブルされない第２アクティブ化情報を送信する。次に、ステップＳ７０４において、ネットワーク側デバイスは、中継デバイスへ確認情報を送信する。次に、ステップＳ７０５において、中継デバイスは、リモートデバイスに確認情報を転送する。
【００９９】
第３のアクティブ化方式
【０１００】
第３のアクティブ化方式では、送受信回路５２０は、下位レイヤシグナリング、例えば、ＰＳＣＣＨによって、リモートデバイスに第２アクティブ化情報を送信してもよい。
【０１０１】
なお、電子機器５００は、第２アクティブ化情報をスクランブルしなくて、リモートデバイスへスクランブルされない第２アクティブ化情報を直接に送信する。同様に、第２アクティブ化情報は、リモートデバイスのＳＰＳ配置に対するリソース指示情報を含んでもよい。本開示の実施例によれば、処理回路５１０（例えば、確認情報生成ユニット、図示せず）は、第２アクティブ化情報の宛先リモートデバイスを確認するための確認情報を生成してもよく、送受信回路５２０は、リモートデバイスへ確認情報を送信してもよい。このようにすると、リモートデバイスは、宛先が自身である確認情報を受信しただけで、第２アクティブ化情報に指示しているＳＰＳ配置をアクティブ化する。
【０１０２】
つまり、第３のアクティブ化方式と第２のアクティブ化方式との違いところは、ネットワーク側デバイスではなく、中継デバイスが確認情報を生成することにある。本開示の実施例によれば、処理回路５１０は、ＭＡＣ  ＣＥを利用して確認情報を生成してもよい。さらに、処理回路５１０は、ＭＡＣ  ＰＤＵのサブヘッダのＬＣＩＤにおける予約ビットを利用して確認情報を生成してもよい。
【０１０３】
図８は、本開示に係る第３のアクティブ化方式のシグナリングフローチャートである。図８に示される中継デバイスは、本開示の実施例に係る電子機器５００であってもよく、ネットワーク側デバイスは、本開示の実施例に係る電子機器２００であってもよい。
【０１０４】
図８に示すように、ステップＳ８０１において、ネットワーク側デバイスは、中継デバイスへ第１アクティブ化情報を送信する。ここの第１アクティブ化情報は、リモートデバイスの識別情報によってスクランブルされたものであってもよい。次に、ステップＳ８０２において、中継デバイスは、取得した全てのリモートデバイスの識別情報を利用して、第１アクティブ化情報をデスクランブルして、第１アクティブ化情報に対応するリモートデバイスを確定する。次に、ステップＳ８０３において、中継デバイスは、リモートデバイスへスクランブルされない第２アクティブ化情報を送信する。次に、ステップＳ８０４において、中継デバイスは、確認メッセージを生成しリモートデバイスへ確認情報を送信する。
【０１０５】
上記したように、第２及び第３のアクティブ化方式では、中継デバイスは、リモートデバイスへスクランブルされない第２アクティブ化情報を送信してもよい。第２アクティブ化情報は、リモートデバイスのＳＰＳ配置に対するリソース指示情報を含んでもよい。なお、ネットワーク側デバイス又は中継デバイスは、第２アクティブ化情報の宛先リモートデバイスを確認する確認メッセージを生成してもよい。確認メッセージは、リモートデバイスのＳＰＳ配置をアクティブ化するアクティブ化指示情報を含んでもよい。つまり、リモートデバイスは、宛先が自身である確認メッセージを受信しただけで、第２アクティブ化メッセージに指示しているＳＰＳ配置をアクティブ化する。
【０１０６】
第２及び第３のアクティブ化方式では、第２アクティブ化情報にはリモートデバイスのＳＰＳ配置に対するリソース指示情報のみを含むので、本開示に係る一つの非限定的な実施例において、追加されたシグナリングには、「ｓｌ  ＳＰＳ  ｃｏｎｆｉｇｕｒａｔｉｏｎ  ｉｎｄｅｘ−  ３  ｂｉｔｓ」のみ含み、「Ａｃｔｉｖａｔｉｏｎ／ｒｅｌｅａｓｅ  ｉｎｄｉｃａｔｉｏｎ−１  ｂｉｔ」を含まない。もちろん、上記の例は、限定的なものではなく、他のシグナリングで上記情報を示してもよい。
【０１０７】
上記したように、本開示の実施例に係る電子機器５００は、リモートデバイスへＳＰＳ配置情報及びＳＰＳアクティブ化情報を転送して、ＳＰＳ技術を端末装置間の通信に適用してもよい。これにより、機器間の通信の信頼性が向上し、遅延が減少し、異なるビジネス及び流量タイプのＱｏＳ要求を満たすことができる。
【０１０８】
本開示の実施例によれば、電子機器５００は、ネットワーク側デバイスである電子機器２００のサービス範囲内に位置してもよい。これにより、第１実施例における電子機器２００に関する全ての実施方式は、これに適用可能である。
【０１０９】
＜４．第３実施例＞
【０１１０】
この実施例において、本開示の実施例に係る電子機器９００について詳細に説明する。ここの電子機器９００は、無線通信システムにおけるリモートデバイスであってもよく、例えば、図１（ａ）及び図１（ｂ）に示すようなリモートデバイスである。図９は、本開示の実施例に係る電子機器９００の配置の例のブロック図である。
【０１１１】
図９に示すように、電子機器９００は、処理回路９１０と送受信回路９２０を含んでもよい。なお、電子機器９００は、一つの処理回路９１０を含んでもよく、複数の処理回路９１０を含んでもよい。
【０１１２】
さらに、処理回路９１０は、様々な異なる機能及び／又は操作を実行するように、様々な別個の機能ユニットを含んでもよい。なお、これらの機能ユニットは、物理的エンティティ又は論理的エンティティであってもよく、そして異なる名称のユニットは同一物理的エンティティによって実現されてもよい。
【０１１３】
本開示の実施例によれば、処理回路９１０は、処理ユニット９１１を含んでもよい。
【０１１４】
本開示の実施例によれば、送受信回路９２０は、中継デバイスから、継装置を介して中継デバイスにサービスを提供するネットワーク側デバイスと通信する電子機器９００のＳＰＳ配置情報を受信してもよい。ここで、中継デバイスは、例えば、第２実施例における電子機器５００であってもよく、ネットワーク側デバイスは、例えば、第１実施例における電子機器２００であってもよい。
【０１１５】
本開示の実施例によれば、処理回路９２０における処理ユニット９１１は、ＳＰＳ配置情報を保存してもよい。
【０１１６】
本開示の実施例によれば、送受信回路９２０は、上位レイヤシグナリングによってＳＰＳ配置情報を受信してもよい。上位レイヤシグナリングは、ＲＲＣシグナリングを含んでもよい。
【０１１７】
本開示の実施例によれば、ＳＰＳ配置情報は、電子機器９００の識別情報、例えば、ＲＮＴＩを含んでもよい。ここで、処理ユニット９１１がＳＰＳ配置情報を保存することは、ＳＰＳ配置情報における識別情報を抽出することを含んでもよい。
【０１１８】
本開示の実施例によれば、送受信回路９２０は、中継デバイスから、電子機器９００のＳＰＳ配置をアクティブ化するためのアクティブ化情報を受信してもよい。
【０１１９】
本開示の実施例によれば、送受信回路９２０は、上位レイヤシグナリングによって、例えば、ＲＲＣシグナリング中継デバイスから、電子機器９００のＳＰＳ配置をアクティブ化するためのアクティブ化情報を受信してもよい。ここで、処理回路９１０（例えば、アクティブ化ユニット、図示せず）は、中継デバイスからの上位レイヤシグナリングによって送信されたアクティブ化情報を受信した後、ＳＰＳ配置をアクティブ化することしてもよい。
【０１２０】
なお、送受信回路９２０は、下位レイヤシグナリングによって、例えば、ＰＳＣＣＨで中継デバイスから、電子機器９００のＳＰＳ配置をアクティブ化するためのアクティブ化情報を受信してもよい。
【０１２１】
上記した第１のアクティブ化方式では、中継デバイスからのアクティブ化情報は、スクランブルされたアクティブ化情報である。よって、本開示の実施例によれば、処理回路９１０（例えば、アクティブ化ユニット、図示せず）は、電子機器９００の識別情報を利用して、アクティブ化情報を正しくデスクランブルする場合、ＳＰＳ配置をアクティブ化することしてもよい。
【０１２２】
上記した第２及び第３のアクティブ化方式では、中継デバイスからのアクティブ化情報は、スクランブルされない。よって、本開示の実施例によれば、送受信回路９２０は、中継デバイス又はネットワーク側デバイスからの確認情報を受信することしてもよく、処理回路９１０（例えば、アクティブ化ユニット、図示せず）は、確認情報はアクティブ化情報の宛先デバイスが電子機器９００であるように示す場合、ＳＰＳ配置をアクティブ化してもよい。
【０１２３】
本開示の実施例によれば、中継デバイスは、一つ又は複数のリモートデバイスサービスであってもよい。つまり、一つ又は複数のリモートデバイスは同一中継デバイスを介してネットワーク側デバイスと通信してもよい。以上の説明では、いずれも一つのリモートデバイスを例として、本開示に係る実施例を説明した。しかしながら、複数のリモートデバイスが存在する場合、以上の説明も適用できる。
【０１２４】
図１０は、本開示の実施例に係る、一つのリモートデバイスに対してＳＰＳ配置を実行し、当該ＳＰＳ配置をアクティブ化するシグナリングフローチャートである。以上では説明したように、２つの方法でＳＰＳ配置情報を送信してもよく、３つの方式でＳＰＳ配置をアクティブ化してもよい。図１０において、破線の枠で２つの配置方式及び３つのアクティブ化方式をそれぞれに示す。よって、実際の応用では、二つの配置方式から一つの方式を選択してＳＰＳ配置を実行してもよく、３つのアクティブ化方式から一つの方式を選択してＳＰＳ配置をアクティブ化してもよい。図１０に示された詳細は先に説明されており、ここでは重複して説明しない。
【０１２５】
図１１は、本開示の実施例に係る、複数のリモートデバイスに対してＳＰＳ配置を実行して、当該ＳＰＳ配置をアクティブ化するシグナリングフローチャートである。図１１において、図１０に示された第１の配置方式及び第１のアクティブ化方式を選択して例として、複数のリモートデバイスの場合を説明する。特に、複数のリモートデバイスが存在する場合、同様に、第２の配置方式及び第２と第３のアクティブ化方式を選択してもよい。図１１に示すように、リモートデバイス１及びリモートデバイス２は、それぞれ中継デバイスを介してネットワーク側デバイスにＵＥＡｓｓｉｓｔａｎｃｅＩｎｆｏｒｍａｔｉｏｎ情報を送信する。ここで区別するために、リモートデバイス１からの情報ＵＥＡｓｓｉｓｔａｎｃｅＩｎｆｏｒｍａｔｉｏｎをＵＥＡｓｓｉｓｔａｎｃｅＩｎｆｏｒｍａｔｉｏｎ１として表記し、リモートデバイス２からの情報ＵＥＡｓｓｉｓｔａｎｃｅＩｎｆｏｒｍａｔｉｏｎをＵＥＡｓｓｉｓｔａｎｃｅＩｎｆｏｒｍａｔｉｏｎ２として表記する。次に、ネットワーク側デバイスは、それぞれ中継デバイスを介して、リモートデバイス１及びリモートデバイス２にＳＰＳ配置情報を送信する。そして、ネットワーク側デバイスは、それぞれ中継デバイスを介して、リモートデバイス１及びリモートデバイス２にＳＰＳ配置のアクティブ化情報をする。なお、本開示の実施例によれば、一つの中継デバイスが３つ以上のリモートデバイスにサービスを提供する場合、図１１に類似する方式で処理を実行してもよい。
【０１２６】
上記したように、本開示の実施例に係る電子機器９００は、ネットワーク側デバイスからのＳＰＳ配置情報を受信してもよく、ネットワーク側デバイス又は中継デバイスからのＳＰＳ配置をアクティブ化するためのアクティブ化情報及び確認情報を受信してもよい。従って、ＳＰＳ配置がアクティブ化され、ＳＰＳ技術を端末機器間の通信に適用することにより、機器間の通信の信頼性が向上し、遅延が減少し、異なるビジネス及び流量タイプのＱｏＳ要求を満たすことができる。
【０１２７】
本開示の実施例によれば、電子機器９００は、中継デバイスである電子機器５００を介してネットワーク側デバイスである電子機器２００と通信してもよい。これにより、第１実施例における電子機器２００に関する、第２実施例における電子機器５００に関する全ての実施方式は、これに適用可能である。
【０１２８】
＜５．第４実施例＞
【０１２９】
次に、本開示に係るネットワーク側デバイスにより実行される無線通信方法について詳細に説明する。ここのネットワーク側デバイスは第１実施例における電子機器２００であってもよいので、第１実施例における電子機器２００の全ての実施方式は、これに適用可能である。
【０１３０】
図１２は、本開示の実施例に係るネットワーク側デバイスにより実行される無線通信方法を示すフローチャートである。
【０１３１】
図１２に示すように、ステップＳ１２１０において、ネットワーク側デバイスのサービス範囲内の中継デバイスを介してネットワーク側デバイスと通信するリモートデバイスに対してＳＰＳ配置を実行する。
【０１３２】
次に、ステップＳ１２２０において、中継デバイスヘリモートデバイスのＳＰＳ配置情報を送信する。
【０１３３】
好ましくは、上位レイヤシグナリングによって中継デバイスヘリモートデバイスのＳＰＳ配置情報を送信する。
【０１３４】
好ましくは、方法は、さらに、ＳＰＳ配置情報に対応するリモートデバイスの識別情報を生成し、リモートデバイスの識別情報をリモートデバイスのＳＰＳ配置情報に含めることを含む。
【０１３５】
好ましくは、方法は、さらに、リモートデバイスのＳＰＳ配置情報の宛先端末が中継デバイスであるかどうかを指示するための指示情報を生成し、中継デバイスへ指示情報を送信することを含む。
【０１３６】
好ましくは、方法は、さらに、中継デバイスにリモートデバイスのＳＰＳ配置情報を転送して保存するように指示するための指示情報を生成することを含む。
【０１３７】
好ましくは、方法は、さらに、リモートデバイスのＳＰＳ配置をアクティブ化するためのアクティブ化情報を生成し、中継デバイスヘアクティブ化情報を送信することを含む。
【０１３８】
好ましくは、下位レイヤシグナリングによって中継デバイスヘアクティブ化情報を送信する。
【０１３９】
好ましくは、リモートデバイスの識別情報を利用して、アクティブ化情報を生成するように、下り制御情報ＤＣＩをスクランブルする。
【０１４０】
好ましくは、方法は、さらに、アクティブ化情報の宛先リモートデバイスを確認するための確認情報を生成し、中継デバイスへ確認情報を送信することを含む。
【０１４１】
本開示の実施例に係るネットワーク側デバイスにより実行される無線通信方法は、第１実施例の説明で詳細に説明したので、ここで重複して説明しない。
【０１４２】
＜６．第５実施例＞
【０１４３】
次に、本開示に係る中継デバイスにより実行される無線通信方法について詳細に説明する。ここの中継デバイスは第２実施例における電子機器５００であってもよいので、第２実施例における電子機器５００の全ての実施方式は、これに適用可能である。
【０１４４】
図１３は、本開示の実施例に係る中継デバイスにより実行される無線通信方法を示すフローチャートである。
【０１４５】
図１３に示すように、ステップＳ１３１０において、中継デバイスにサービスを提供するネットワーク側デバイスから、中継デバイスを介してネットワーク側デバイスと通信するリモートデバイスのＳＰＳ配置情報を受信する。
【０１４６】
次に、ステップＳ１３２０において、ＳＰＳ配置情報を保存することと、リモートデバイスヘＳＰＳ配置情報を送信することとのうち少なくとも一つを実行する。
【０１４７】
好ましくは、上位レイヤシグナリングによってリモートデバイスのＳＰＳ配置情報を受信する。
【０１４８】
好ましくは、ＳＰＳ配置情報は、ＳＰＳ配置情報に対応するリモートデバイスの識別情報を含む。
【０１４９】
好ましくは、方法は、さらに、ネットワーク側デバイスから、ＳＰＳ配置情報の宛先端末が中継デバイスであるかどうかを指示するための指示情報を受信することを含む。
【０１５０】
好ましくは、方法は、さらに、指示情報はＳＰＳ配置情報の宛先端末が中継デバイスであるように指示する場合、ＳＰＳ配置情報を保存することを含む。
【０１５１】
好ましくは、方法は、さらに、指示情報はＳＰＳ配置情報の宛先端末が中継デバイスではないように指示する場合、リモートデバイスヘＳＰＳ配置情報を送信することとを含む。
【０１５２】
好ましくは、方法は、さらに、ネットワーク側デバイスから、中継デバイスにリモートデバイスのＳＰＳ配置情報を保存して転送するように指示するための指示情報を受信することを含む。
【０１５３】
好ましくは、方法は、さらに、ＳＰＳ配置情報を保存し、リモートデバイスヘＳＰＳ配置情報を送信することとを含む。
【０１５４】
好ましくは、方法は、さらに、ネットワーク側デバイスから、リモートデバイスのＳＰＳ配置をアクティブ化するための第１アクティブ化情報を受信することを含む。
【０１５５】
好ましくは、下位レイヤシグナリングによって第１アクティブ化情報を受信する。
【０１５６】
好ましくは、リモートデバイスの識別情報を利用して、第１アクティブ化情報をデスクランブルする。
【０１５７】
好ましくは、方法は、さらに、リモートデバイスのＳＰＳ配置をアクティブ化するための第２アクティブ化情報を生成することと、リモートデバイスに第２アクティブ化情報を送信することとを含む。
【０１５８】
好ましくは、下位レイヤシグナリングによってリモートデバイスに第２アクティブ化情報を送信する。
【０１５９】
好ましくは、方法は、さらに、リモートデバイスの識別情報を利用して、第２アクティブ化情報を生成するように、サイドリンク制御情報ＳＣＩをスクランブルすることを含む。
【０１６０】
好ましくは、方法は、さらに、第２アクティブ化情報の宛先リモートデバイスを確認するための確認情報を生成することと、リモートデバイスへ確認情報を送信することとを含む。
【０１６１】
本開示の実施例に係る中継デバイスにより実行される無線通信方法は、第２実施例の説明で詳細に説明したので、ここで重複して説明しない。
【０１６２】
＜７．第６実施例＞
【０１６３】
次に、本開示に係るリモートデバイスにより実行される無線通信方法について詳細に説明する。ここのリモートデバイスは第３実施例における電子機器９００であってもよいので、第３実施例における電子機器９００の全ての実施方式は、これに適用可能である。
【０１６４】
図１４は、本開示の実施例に係るリモートデバイスにより実行される方法を示すフローチャートである。
【０１６５】
図１４に示すように、ステップＳ１４１０において、中継デバイスから、中継デバイスを介して中継デバイスにサービスを提供するネットワーク側デバイスと通信するリモートデバイスのＳＰＳ配置情報を受信する。
【０１６６】
次に、ステップＳ１４２０において、ＳＰＳ配置情報を保存する。
【０１６７】
好ましくは、上位レイヤシグナリングによってＳＰＳ配置情報を受信する。
【０１６８】
好ましくは、ＳＰＳ配置情報は、リモートデバイスの識別情報を含む。
【０１６９】
好ましくは、方法は、さらに、中継デバイスから、リモートサブデバイスのＳＰＳ配置をアクティブ化するためのアクティブ化情報を受信することを含む。
【０１７０】
好ましくは、方法は、さらに、リモートデバイスの識別情報を利用して、アクティブ化情報を正しくデスクランブルする場合、ＳＰＳ配置をアクティブ化することを含む。
【０１７１】
好ましくは、方法は、さらに、中継デバイス又はネットワーク側デバイスからの確認情報を受信することと、及び確認情報はアクティブ化情報の宛先デバイスがリモートデバイスである場合、ＳＰＳ配置をアクティブ化することを含む。
【０１７２】
本開示の実施例に係るリモートデバイスにより実行される無線通信方法について、第３実施例の説明で詳細に説明したので、ここで重複して説明しない。
【０１７３】
＜８．応用例＞
【０１７４】
本開示内容の技術は各種の製品に応用できる。例えば、ネットワーク側デバイスは、基地局として実現されてもよい。基地局は、任意のタイプのｅＮＢ、例えばマクロｅＮＢとスモールｅＮＢとして実現されてもよい。基地局は、さらに、任意のタイプのｇＮＢとして実現されてもよい。なお、スモールｅＮＢはマクロセルよりも小さいセルをカバーするｅＮＢ、例えばピコｅＮＢ、マイクロｅＮＢ、ホーム（フェムト）ｅＮＢであってもよい。代わりに、基地局は、任意の他のタイプの基地局、例えばＮｏｄｅＢとベーストランシーバ基地局（ＢＴＳ）として実現されることが可能である。基地局は、無線通信を制御するように配置される本体（基地局デバイスとも称する）と、本体と異なる箇所に設置された一つ又は複数のリモート無線ヘッド（ＲＲＨ）とを含んでもよい。また、以下記述する各種のタイプの端末は、基地局機能を一時又は半恒久的に実行することにより基地局として作動する。
【０１７５】
中継デバイス及びリモートデバイスである端末機器は、移動端末（例えばスマートフォン、タブレットパーソナルコンピュータ（ＰＣ）、ノートＰＣ、携帯型ゲーム端末、携帯型／ウオッチドッグ型移動ルータとデジタル撮像装置）又は車載端末（例えばカーナビゲーション装置）として実現されてもよい。特に、リモートデバイスである端末機器は、ウェアラブル装置として実現されてもよい。中継デバイスである端末機器は、ウェアラブル装置に近い移動端末として実現されてもよい。端末機器は、マシンツーマシン（Ｍ２Ｍ）通信を実行する端末（マシン型通信（ＭＴＣ）端末とも称する）として実現されてもよい。また、端末機器は、上記端末における端末ごとに取り付けられた無線通信モジュール（例えば一つのチップを含む集積回路モジュール）であってもよい
【０１７６】
［８−１．基地局についての応用例］
【０１７７】
（第１応用例）
【０１７８】
図１５は、本開示内容の技術を応用できるｅＮＢの例示的配置の第一例を示すブロック図である。ｅＮＢ１５００は、一つ又は複数のアンテナ１５１０及び基地局デバイス１５２０を含む。基地局デバイス１５２０と各アンテナ１５１０は、ＲＦケーブルを介して互いに接続されてもよい。
【０１７９】
アンテナ１５１０の各々は、単一の又は複数のアンテナ素子（例えば、多入力多出力（ＭＩＭＯ）アンテナに含まれる複数のアンテナ素子）を含み、基地局デバイス１５２０による無線信号の送受信のために用いられる。ｅＮＢ１５００は、図１５に示したように、複数のアンテナ１５１０を含んでもよい。複数のアンテナ１５１０は、例えばｅＮＢ１５００の使用する複数の周波数帯域と共用してもよい。なお、図１５にはｅＮＢ１５００が複数のアンテナ１５１０を含む例を示したが、ｅＮＢ１５００は単一のアンテナ１５１０を含んでもよい。
【０１８０】
基地局デバイス１５２０は、コントローラ１５２１、メモリ１５２２、ネットワークインタフェース１５２３、及び無線通信インタフェース１５２５を含む。
【０１８１】
コントローラ１５２１は、例えばＣＰＵ又はＤＳＰであってよく、基地局デバイス１５２０の上位レイヤの様々な機能を操作する。例えば、コントローラ１５２１は、無線通信インタフェース１５２５により処理された信号内のデータからデータパケットを生成し、生成したパケットをネットワークインタフェース１５２３を介して転送する。コントローラ１５２１は、複数のベースバンドプロセッサからのデータをバンドリングすることによりバンドルドパケットを生成し、生成したバンドルドパケットを転送してもよい。また、コントローラ１５２１は、無線リソース制御、無線ベアラ制御、移動性管理、流入制御、及びスケジューリングのような制御を実行する論理的な機能を有してもよい。当該制御は、周辺のｅＮＢ又はコアネットワークノードと連携して実行されてもよい。メモリ１５２２は、ＲＡＭ及びＲＯＭを含み、コントローラ１５２１により実行されるプログラム、及び様々な制御データ（例えば、端末リスト、伝送パワーデータ及びスケジューリングデータなど）を記憶する。
【０１８２】
ネットワークインタフェース１５２３は、基地局デバイス１５２０をコアネットワーク１５２４に接続するための通信インタフェースである。コントローラ１５２１はネットワークインタフェース１５２３を介してコアネットワークノード又は他のｅＮＢと通信してもよい。この場合、ｅＮＢ１５００とコアネットワークノード又は他のｅＮＢとはロジックインタフェース（例えばＳ１インタフェースとＸ２インタフェース）により互いに接続される。ネットワークインタフェース１５２３は、有線通信インタフェース、又は無線バックホールのための無線通信インタフェースであってもよい。ネットワークインタフェース１５２３が無線通信インタフェースであると、ネットワークインタフェース１５２３は無線通信インタフェース１５２５により使用される周波数帯域よりも高い周波数帯域を無線通信に使用してもよい。
【０１８３】
無線通信インタフェース１５２５は、任意のセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ１５１０を介して、ｅＮＢ１５００のセル内に位置する端末までの無線接続を提供する。無線通信インタフェース１５２５は、一般的に、ベースバンド（ＢＢ）プロセッサ１５２６及びＲＦ回路１５２７を含んでもよい。ＢＢプロセッサ１５２６は、例えば、符号化／復号化、変調／復調及び多重化／逆多重化を実行してもよく、そしてレイヤ（例えばＬ１、媒体アクセス制御（ＭＡＣ）、無線リンク制御（ＲＬＣ）、パケットデータ収束プロトコル（ＰＤＣＰ））のさまざまな信号処理を実行する。コントローラ１５２１の代わりに、ＢＢプロセッサ１５２６は、上記ロジック機能の一部又は全部を有してもよい。ＢＢプロセッサ１５２６は、通信制御プログラムを記憶するメモリであってもよく、又はプログラムを実行するように配置されるプロセッサ及び関連する回路を含むモジュールであってもよい。ＢＢプロセッサ１５２６の機能はプログラムの更新により変更可能であってもよい。当該モジュールは基地局デバイス１５２０のスロットに挿入されるカード若しくはブレードであってもよい。代わりに、当該モジュールはカード若しくはブレードに搭載されるチップであってもよい。一方、ＲＦ回路１５２７は例えばミキサ、フィルタ及びアンプを含んでもよく、アンテナ１５１０を介して無線信号を送受信する。
【０１８４】
図１５に示すように、無線通信インタフェース１５２５は、複数のＢＢプロセッサ１５２６を含んでもよい。例えば、複数のＢＢプロセッサ１５２６はｅＮＢ  １５００が使用する複数の周波数帯域と共用されてもよい。図１５に示すように、無線通信インタフェース１５２５は複数のＲＦ回路１５２７を含んでもよい。例えば、複数のＲＦ回路１５２７は複数のアンテナ素子と共用されてもよい。図１５は、無線通信インタフェース１５２５が複数のＢＢプロセッサ１５２６と複数のＲＦ回路１５２７とを含む例を示したが、無線通信インタフェース１５２５は単一のＢＢプロセッサ１５２６又は単一のＲＦ回路１５２７を含んでもよい。
【０１８５】
（第２応用例）
【０１８６】
図１６は、本開示内容の技術を応用できるｅＮＢの概略的配置の第二例を示すブロック図である。ｅＮＢ１６３０は一つ又複数のアンテナ１６４０と、基地局デバイス１６５０と、ＲＲＨ１６６０とを含む。ＲＲＨ１６６０は各アンテナ１６４０とＲＦケーブルケーブルを介して互いに接続されてもよい。基地局デバイス１６５０とＲＲＨ１６６０は例えば光ファイバケーブルの高速回線で互いに接続されてもよい。
【０１８７】
アンテナ１６４０の各々は、単一の又は複数のアンテナ素子（例えば、ＭＩＭＯアンテナに含まれる複数のアンテナ素子）を含み、ＲＲＨ１６６０による無線信号の送受信のために用いられる。図１６に示すように、ｅＮＢ１６３０は複数のアンテナ１６４０を含んでもよい。例えば、複数のアンテナ１６４０は、ｅＮＢ  １６３０が使用する複数の周波数帯域と共用されてもよい。図１６は、ｅＮＢ１６３０が複数のアンテナ１６４０を含む例を示したが、ｅＮＢ１６３０は単一のアンテナ１６４０を含んでもよい。
【０１８８】
基地局デバイス１６５０は、コントローラ１６５１、メモリ１６５２、ネットワークインタフェース１６５３、無線通信インタフェース１６５５、及び接続インタフェース１６５７を含む。コントローラ１６５１、メモリ１６５２、及びネットワークインタフェース１６５３は図１５を参考して記述されたコントローラ１５２１、メモリ１５２２、及びネットワークインタフェース１５２３と同じである。
【０１８９】
無線通信インタフェース１６５５は、任意のセルラー通信方式（例えばＬＴＥ、ＬＴＥ−Ａｄｖａｎｃｅｄ）をサポートし、ＲＲＨ１６６０とアンテナ１６４０とを介してＲＲＨ１６６０に対応するセクタ内に位置する端末までの無線接続を提供する。無線通信インタフェース１６５５は、一般的に、例えばＢＢプロセッサ１６５６を含んでもよい。ＢＢプロセッサ１６５６が接続インタフェース１６５７を介してＲＲＨ１６６０のＲＦ回路１６６４と接続される構成を除き、ＢＢプロセッサ１６５６は図１５を参考して記述されたＢＢプロセッサ１５２６と同じである。図１６に示すように、無線通信インタフェース１６５５は複数のＢＢプロセッサ１６５６を含んでもよい。例えば、複数のＢＢプロセッサ１６５６はｅＮＢ１６３０が使用する複数の周波数帯域と共用されてもよい。図１６は無線通信インタフェース１６５５が複数のＢＢプロセッサ１６５６を含む例を示したが、無線通信インタフェース１６５５は単一のＢＢプロセッサ１６５６を含んでもよい。
【０１９０】
接続インタフェース１６５７は、基地局デバイス１６５０（無線通信インタフェース１６５５）をＲＲＨ１６６０に接続するためのインタフェースである。接続インタフェース１６５７は基地局デバイス１６５０（無線通信インタフェース１６５５）をＲＲＨ１６６０に接続する上記高速回線での通信のための通信モジュールであってもよい。
【０１９１】
ＲＲＨ１６６０は、接続インタフェース１６６１と無線通信インタフェース１６６３とを含む。
【０１９２】
接続インタフェース１６６１は、ＲＲＨ１６６０（無線通信インタフェース１６６３）を基地局デバイス１６５０に接続するためのインタフェースである。接続インタフェース１６６１は、上記高速回線での通信のための通信モジュールであってもよい。
【０１９３】
無線通信インタフェース１６６３は、アンテナ１６４０を介して無線信号を送受信する。無線通信インタフェース１６６３は、一般的に、例えばＲＦ回路１６６４を含んでもよい。ＲＦ回路１６６４は、例えばミキサ、フィルタ及びアンプなどを含んでもよく、アンテナ１６４０を介して無線信号を送受信する。図１６に示すように、無線通信インタフェース１６６３は複数のＲＦ回路１６６４を含んでもよい。例えば、複数のＲＦ回路１６６４は複数のアンテナ素子をサポートし得る。図１６は、無線通信インタフェース１６６３が複数のＲＦ回路１６６４を含む例を示したが、無線通信インタフェース１６６３は単一のＲＦ回路１６６４を含んでもよい。
【０１９４】
図１５と図１６に示すｅＮＢ  １５００とｅＮＢ  １６３０において、図２を使用して記述した処理回路２１０は、コントローラ１５２１及び／又はコントローラ１６５１により実現されてもよい。機能の少なくともの一部は、コントローラ１５２１及びコントローラ１６５１により実現されてもよい。例えば、コントローラ１５２１及び／又はコントローラ１６５１は、対応するメモリに記憶している指令を実行することによって、ＳＰＳ配置を実行する機能を実行してもよい。
【０１９５】
［８−２．  端末機器についての応用例］
【０１９６】
（第１応用例）
【０１９７】
図１７は、本開示内容の技術を応用できるスマートフォン１７００の概略的配置の例を示すブロック図である。スマートフォン１７００は、プロセッサ１７０１、メモリ１７０２、記憶装置１７０３、外部接続インタフェース１７０４、撮像装置１７０６、センサ１７０７、マイクロフォン１７０８、入力装置１７０９、表示装置１７１０、スピーカ１７１１、無線通信インタフェース１７１２、一つ又は複数のアンテナスイッチ１７１５、一つ又は複数のアンテナ１７１６、バス１７１７、バッテリー１７１８、及び補助コントローラ１７１９を含む。
【０１９８】
プロセッサ１７０１は、例えばＣＰＵ又はＳｏＣであってもよく、スマートフォン１７００のアプリケーションレイヤ及びその他のレイヤの機能を制御する。メモリ１７０２はＲＡＭとＲＯＭを含み、データと、プロセッサ１７０１により実行されるプログラムを記憶する。記憶装置１７０３は、記憶媒体、例えば半導体メモリ又はハードディスクを含んでもよい。外部接続インタフェース１７０４は、外部装置（例えば、メモリーカード又はＵＳＢデバイス）をスマートフォン１７００に接続するためのインタフェースである。
【０１９９】
撮像装置１７０６は、画像センサ（例えばＣＣＤ（ＣｈａｒｇｅＣｏｕｐｌｅｄＤｅｖｉｃｅ）、ＣＭＯＳ（Ｃｏｍｐｌｅｍｅｎｔａｒｙ  ＭｅｔａｌＯｘｉｄｅＳｅｍｉｃｏｎｄｕｃｔｏｒ））を含み、キャプチャ画像を生成する。センサ１７０７は例えば、測定センサ、ジャイロセンサ、地磁気センサ及び加速度センサなどのセンサ群を含んでもよい。マイクロフォン１７０８は、スマートフォン１７００に入力される音声を音声信号に変換する。入力装置１７０９は、例えば表示装置１７１０のスクリーン上のタッチを検出するように配置されるタッチセンサ、キーパッド、キーボード、ボタン又はスイッチを含み、ユーザーから入力される操作又は情報を受信する。表示装置１７１０は、スクリーン（例えば液晶ディスプレイ（ＬＣＤ）、有機発光ダイオード（ＯＬＥＤ）ディスプレイ）を含み、スマートフォン１７００の出力画像を表示する。スピーカ１７１１は、スマートフォン１７００から出力される音声信号を音声に変換する。
【０２００】
無線通信インタフェース１７１２は、任意のセルラー通信方式（例えばＬＴＥ、ＬＴＥ−Ａｄｖａｎｃｅｄ）をサポートし、無線通信を実行する。無線通信インタフェース１７１２は、一般的に、例えばＢＢプロセッサ１７１３とＲＦ回路１７１４とを含んでもよい。ＢＢプロセッサ１７１３は、例えば符号化／復号化、変調／復調及び多重化／逆多重化を実行してもよく、無線通信のための様々な信号処理を実行する。一方、ＲＦ回路１７１４は例えばミキサ、フィルタ及びアンプを含んでもよく、アンテナ１７１６を介して無線信号を送受信する。無線通信インタフェース１７１２は、ＢＢプロセッサ１７１３とＲＦ回路１７１４を集積したワンチップのモジュールであってもよい。図１７に示すように、無線通信インタフェース１７１２は、複数のＢＢプロセッサ１７１３と複数のＲＦ回路１７１４を含んでもよい。図１７は、無線通信インタフェース１７１２が複数のＢＢプロセッサ１７１３と複数のＲＦ回路１７１４を含む例を示したが、無線通信インタフェース１７１２は単一のＢＢプロセッサ１７１３又は単一のＲＦ回路１７１４を含んでもよい。
【０２０１】
また、セルラー通信方式を除き、無線通信インタフェース１７１２は他の種類の無線通信方式、例えば近距離無線通信方式、近接無線通信方式又は無線ＬＡＮ（ＬｏｃａｌＡｒｅａＮｅｔｗｏｒｋ）方案をサポートしてもよい。この場合、無線通信インタフェース１７１２は無線通信方式ごとのＢＢプロセッサ１７１３とＲＦ回路１７１４を含んでもよい。
【０２０２】
アンテナスイッチ１７１５の各々は、無線通信インタフェース１７１２に含まれる複数の回路（例えば、異なる無線通信方式のための回路）の間でアンテナ１７１６の接続先を切り替える。
【０２０３】
アンテナ１７１６の各々は、単一の又は複数のアンテナ素子（例えば、ＭＩＭＯアンテナに含まれる複数のアンテナ素子）を含み、無線通信インタフェース１７１２による無線信号の送受信のために用いられる。図１７に示すように、スマートフォン１７００は複数のアンテナ１７１６を含んでもよい。図１７は、スマートフォン１７００が複数のアンテナ１７１６を含む例を示したが、スマートフォン１７００は単一のアンテナ１７１６を含んでもよい。
【０２０４】
また、スマートフォン１７００は、無線通信方式ごとにアンテナ１７１６を含んでもよい。この場合、アンテナスイッチ１７１５は、スマートフォン１７００の構成から省略されてもよい。
【０２０５】
バス１７１７は、プロセッサ１７０１、メモリ１７０２、記憶装置１７０３、外部接続インタフェース１７０４、撮像装置１７０６、センサ１７０７、マイクロフォン１７０８、入力装置１７０９、表示装置１７１０、スピーカ１７１１、無線通信インタフェース１７１２及び補助コントローラ１７１９を互いに接続する。バッテリー１７１８は、図中に破線で部分的に示したフィーダーを介して図１７に示すスマートフォン１７００の各ブロックに電力を供給する。補助コントローラ１７１９は例えば、スリープモードにおいて、スマートフォン１７００の必要最低限の機能を動作させる。
【０２０６】
図１７に示すスマートフォン１７００において、図５を使用して記述した処理回路５１０及び図９を使用して記述した処理回路９１０は、プロセッサ１７０１又は補助コントローラ１７１９により実現されてもよい。機能の少なくとも一部は、プロセッサ１７０１又は補助コントローラ１７１９により実現されてもよい。例えば、プロセッサ１７０１又は補助コントローラ１７１９は、メモリ１７０２又は記憶装置１７０３に記憶している指令を実行することによって、ＳＰＳ配置を保存する機能を実行してもよい。
【０２０７】
（第２応用例）
【０２０８】
図１８は、本開示内容の技術を応用できるカーナビゲーションデバイス１８２０の概略的な構成の一例を示すブロック図である。カーナビゲーションデバイス１８２０は、プロセッサ１８２１、メモリ１８２２、ＧＰＳモジュール１８２４、センサ１８２５、データインタフェース１８２６、コンテンツプレーヤ１８２７、記憶媒体インタフェース１８２８、入力装置１８２９、表示装置１８３０、スピーカ１８３１、無線通信インタフェース１８３３、一つ又は複数のアンテナスイッチ１８３６、一つ又は複数のアンテナ１８３７及びバッテリー１８３８を含む。
【０２０９】
プロセッサ１８２１は、例えばＣＰＵ又はＳｏＣであってもよく、カーナビゲーションデバイス１８２０のナビゲーション機能及びその他の機能を制御する。メモリ１８２２はＲＡＭとＲＯＭを含み、データと、プロセッサ１８２１により実行されるプログラムを記憶する。
【０２１０】
ＧＰＳモジュール１８２４は、ＧＰＳ衛星から受信されるＧＰＳ信号を用いて、カーナビゲーション装置１８２０の位置（例えば、緯度、経度及び高度）を測定する。センサ１８２５は、例えば、ジャイロセンサ、地磁気センサ及び気圧センサのセンサ群を含んでもよい。データインタフェース１８２６は、図示しない端末を介して例えば、車載ネットワーク１８４１に接続され、車両で生成されるデータ（例えば車速データ）を取得する。
【０２１１】
コンテンツプレーヤ１８２７は、記憶媒体インタフェース１８２８に挿入される記憶媒体（例えば、ＣＤ及びＤＶＤ）に記憶されているコンテンツを再生する。入力装置１８２９は例えば表示装置１８３０のスクリーン上のタッチを検出するように配置されるタッチセンサ、ボタン又はスイッチを含み、ユーザから入力される操作又は情報を受信する。表示装置１８３０は例えばＬＣＤ又はＯＬＥＤディスプレイのスクリーンを含み、ナビゲーション機能の画像又は再生されるコンテンツを表示する。スピーカ１８３１は、ナビゲーション機能の音声又は再生されるコンテンツを出力する。
【０２１２】
無線通信インタフェース１８３３は、任意のセルラー通信方式（例えばＬＴＥ、ＬＴＥ−Ａｄｖａｎｃｅｄ）をサポートし、無線通信を実行する。無線通信インタフェース１８３３は、一般的に、例えばＢＢプロセッサ１８３４とＲＦ回路１８３５とを含んでもよい。ＢＢプロセッサ１８３４は、例えば符号化／復号化、変調／復調及び多重化／逆多重化を実行してもよく、無線通信のための様々なタイプの信号処理を実行する。一方、ＲＦ回路１８３５は例えばミキサ、フィルタ及びアンプを含んでもよく、アンテナ１８３７を介して無線信号を送受信する。無線通信インタフェース１８３３はＢＢプロセッサ１８３４とＲＦ回路１８３５を集積したワンチップのモジュールであってもよい。図１８に示すように、無線通信インタフェース１８３３は複数のＢＢプロセッサ１８３４と複数のＲＦ回路１８３５を含んでもよい。図１８は、無線通信インタフェース１８３３が複数のＢＢプロセッサ１８３４と複数のＲＦ回路１８３５を含む例を示したが、無線通信インタフェース１８３３は一つのＢＢプロセッサ１８３４又は一つのＲＦ回路１８３５を含んでもよい。
【０２１３】
また、セルラー通信方式を除き、無線通信インタフェース１８３３は他の種類の無線通信方式、例えば、近距離無線通信方式、近接無線通信方式又は無線ＬＡＮ方式をサポートしてもよい。この場合、無線通信方式ごとに、無線通信インタフェース１８３３はＢＢプロセッサ１８３４とＲＦ回路１８３５を含んでもよい。
【０２１４】
アンテナスイッチ１８３６の各々は、無線通信インタフェース１８３３に含まれる複数の回路（例えば、異なる無線通信方式のための回路）の間でアンテナ１８３７の接続先を切り替える。
【０２１５】
アンテナ１８３７中の各々は、一つの又は複数のアンテナ素子（例えば、ＭＩＭＯアンテナに含まれる複数のアンテナ素子）を含み、無線通信インタフェース１８３３による無線信号の送受信のために用いられる。図１８に示すように、カーナビゲーションデバイス１８２０は、複数のアンテナ１８３７を含んでもよい。図１８は、カーナビゲーションデバイス１８２０が複数のアンテナ１８３７を含む例を示したが、カーナビゲーションデバイス１８２０は一つのアンテナ１８３７を含んでもよい。
【０２１６】
また、カーナビゲーション装置１８２０は、無線通信方式ごとにアンテナ１８３７を含んでもよい。この場合、アンテナスイッチ１８３６はカーナビゲーションデバイス１８２０の構成から省略されてもよい。
【０２１７】
バッテリー１８３８は、図において破線で部分的に示したフィーダーを介して、図１８に示したカーナビゲーション装置１８２０の各ブロックに電力を供給する。また、バッテリー１８３８は、車両側から給電される電力を蓄積する。
【０２１８】
図１８に示すカーナビゲーション装置１８２０において、図５を使用して記述した処理回路５１０及び図９を使用して記述した処理回路９１０は、プロセッサ１８２１により実現されてもよい。機能の少なくとも一部はプロセッサ１８２１により実現されてもよい。例えば、プロセッサ１８２１は、メモリ１８２２に記憶している指令を実行することによって、ＳＰＳ配置を保存する機能を実行してもよい。
【０２１９】
本開示内容の技術は、カーナビゲーション装置１８２０と、車載ネットワーク１８４１と、車両モジュール１８４２との一つ又は複数のブロックを含む車載システム（又は車両）１８４０として実現されてもよい。車両モジュール１８４２は車両データ（例えば車速、エンジン回転数、故障情報）を生成し、生成したデータを車載ネットワーク１８４１に出力する。
【０２２０】
本開示のシステム及び方法において、各部品又は各ステップは、分解及び／又は再結合させることができる。これらの分解及び／又は再結合が本開示の均等物とみなされるべきである。そして、上記の系列処理を実行するステップは、自然に記述された順序で時系列に従って実行してもよい。しかし、必ずしも時系列に従って実行する必要がない。あるステップは、並行又は互いに独立に実行されてもよい。
【０２２１】
以上で図面と合わせて本発明の実施例を詳細に記述したが、以上で記述された実施形態は、本発明を説明するためのものであり、本発明を制限しないと理解される。当業者にとって、上記実施形態について、本発明の本質と範囲から逸脱せず、各種の補正、変更を行い得る。従って、本発明の範囲は特許請求の範囲及び均等意味のみに限定される。
【図１ａ】
2020515086.tif 000003
【図１ｂ】
2020515086.tif 000004
【図２】
2020515086.tif 000005
【図３】
2020515086.tif 000006
【図４】
2020515086.tif 000007
【図５】
2020515086.tif 000008
【図６】
2020515086.tif 000009
【図７】
2020515086.tif 000010
【図８】
2020515086.tif 000011
【図９】
2020515086.tif 000012
【図１０】
2020515086.tif 000013
【図１１】
2020515086.tif 000014
【図１２】
2020515086.tif 000015
【図１３】
2020515086.tif 000016
【図１４】
2020515086.tif 000017
【図１５】
2020515086.tif 000018
【図１６】
2020515086.tif 000019
【図１７】
2020515086.tif 000020
【図１８】
2020515086.tif 000021
【国際調査報告】
2020515086.tif 000022
2020515086.tif 000023
2020515086.tif 000024
2020515086.tif 000025
2020515086.tif 000026